(57)【要約】  防水性の１着のズボンおよび／またはウェーダは、体液を排出するための封止可能な開口を含む。剛性の枠部は、１着のズボンおよび／またはウェーダに対して防水的に封止されて、枠部アパーチャを形成する。剛性の蓋部は、枠部に枢動可能に連結される。封止部は、蓋部と枠部との間に設けられて、蓋部が閉位置にあるとき、防水性の閉止具を形成する。任意選択の剛性の裏当ては、裏当てアパーチャを形成し、裏当ての第１の面と枠部の裏側面は、それらの間に防水性の材料を捕捉する。少なくとも１つの接着結合剤は、枠部の裏側面と防水性材料との間、かつ／または裏当ての第１の面と防水性材料との間に付けられる。裏当てアパーチャの面積は、枠部アパーチャと比べて等しい、またはそれより大きい。【選択図】図６６
2018534447.tif 000002
【特許請求の範囲】
【請求項１】
体液を排出するための封止可能な開口を含む防水性の１着のズボンおよび／またはウェーダであって、
第１の脚部および第２の脚部を備える１着のズボンおよび／またはウェーダであって、前記第１の脚部および前記第２の脚部が、実質的に着用者のウエスト、またはウエストと首の間で終端する胴部に接続され、前記１着のズボンおよび／またはウェーダが、実質的に防水性の材料を備える、１着のズボンおよび／またはウェーダと、
前記１着のズボンおよび／またはウェーダの鼠径部分に設けられ、前記１着のズボンおよび／またはウェーダに対して防水的に封止される剛性の枠部であって、前記枠部が、前記１着のズボンおよび／またはウェーダの外側を前記１着のズボンおよび／またはウェーダの内側から隔てる枠部アパーチャを形成する、剛性の枠部と、
前記枠部と枢動可能に接続されて前記１着のズボンおよび／またはウェーダの前記外側に設けられ、前記枠部アパーチャと係合するように構成される、剛性の蓋部と、
前記枠部と前記蓋部の間に設けられて、前記蓋部が閉位置にあるとき、前記枠部アパーチャの防水性閉止具を形成する、封止部と、
裏当てアパーチャを形成する剛性の裏当てであって、前記鼠径部分において、前記裏当ての第１の面と前記枠部の裏側面が、それらの間に前記１着のズボンおよび／またはウェーダの前記防水性の材料を捕捉する、剛性の裏当てと、
前記枠部の前記裏側面と前記１着のズボンおよび／またはウェーダの前記防水性の材料との間、かつ／または前記裏当ての前記第１の面と前記１着のズボンおよび／またはウェーダの前記防水性の材料との間に配置される少なくとも１つの接着結合剤とを備え、
前記裏当てアパーチャと前記枠部アパーチャが実質的に整列し、
前記裏当てアパーチャの面積が、前記枠部アパーチャと比べて等しい、またはそれより大きい、防水性の１着のズボンおよび／またはウェーダ。
【請求項２】
前記裏当てアパーチャのアパーチャサイズが、少なくとも前記枠部アパーチャと同じ大きさである、請求項１に記載の防水性の１着のズボンおよび／またはウェーダ。
【請求項３】
前記裏当てが、前記裏当てアパーチャの内周部に沿って隆起縁部を備え、前記隆起縁部が、前記枠部アパーチャの第２の内周部に沿って前記枠部の第２の隆起縁部に形成される周縁アンダーカットの中に配置される、請求項１に記載の防水性の１着のズボンおよび／またはウェーダ。
【請求項４】
前記蓋部が、前記蓋部が前記閉位置にあるとき前記枠部に向かって延在する第３の隆起縁部を備え、前記蓋部が前記閉位置にあるとき、前記蓋部の前記第３の隆起縁部が、前記枠部の前記第２の隆起縁部に整列し、前記封止部の少なくとも一部をそれらの間で互いに捕捉する、請求項３に記載の防水性の１着のズボンおよび／またはウェーダ。
【請求項５】
前記枠部の前記裏側面、および／または前記裏当ての前記第１の面が、非平滑面を備える、請求項１に記載の防水性の１着のズボンおよび／またはウェーダ。
【請求項６】
前記非平滑面が、一連の溝、一連のチャネルまたは粗面のテクスチャ加工部を備える、請求項５に記載の防水性の１着のズボンおよび／またはウェーダ。
【請求項７】
前記一連の溝、前記一連のチャネルまたは前記粗面のテクスチャ加工部が、前記枠部アパーチャおよび前記裏当てアパーチャの周りに設けられるとき、前記一連の溝、前記一連のチャネルまたは前記粗面のテクスチャ加工部が、前記枠部の前記裏側面および前記裏当ての前記第１の面の輪郭に従う、請求項６に記載の防水性の１着のズボンおよび／またはウェーダ。
【請求項８】
前記枠部に接続され、前記蓋部を前記閉位置に保持するように構成される手動で解除可能な係止部を含む、請求項１に記載の防水性の１着のズボンおよび／またはウェーダ。
【請求項９】
前記蓋部または前記枠部のいずれかに接続され、前記蓋部と前記枠部を互いに固定するように構成される圧縮係止部を含む、請求項１に記載の防水性の１着のズボンおよび／またはウェーダ。
【請求項１０】
前記枠部または前記１着のズボンおよび／もしくはウェーダに接続され、前記蓋部を開位置に保持するように構成される一時的アタッチメント機構を含み、前記一時的アタッチメント機構が、磁石、面ファスナまたは係止部を備える、請求項１に記載の防水性の１着のズボンおよび／またはウェーダ。
【請求項１１】
前記１着のズボンおよび／またはウェーダに接続されて前記枠部および前記蓋部を覆う美的フラップを含む、請求項１に記載の防水性の１着のズボンおよび／またはウェーダ。
【請求項１２】
前記防水性の１着のズボンが、１足の防水性または耐水性のブーツまたは靴を覆って滑動するように構成される、請求項１に記載の防水性の１着のズボンおよび／またはウェーダ。
【請求項１３】
前記防水性の１着のウェーダが、前記第１の脚部および前記第２の脚部に恒久的または取外し可能にそれぞれ接続される第１の足部またはブーツ部および第２の足部またはブーツ部を含む、請求項１に記載の防水性の１着のズボンおよび／またはウェーダ。
【請求項１４】
前記枠部と前記蓋部の間に連結されるばねを含み、前記ばねが、前記蓋部を開位置に付勢する、請求項１に記載の防水性の１着のズボンおよび／またはウェーダ。
【請求項１５】
前記枠部アパーチャと前記裏当てアパーチャの各々が、大きい方の円が少なくとも部分的に、小さい方の円と重なる形状を備え、前記大きい方の円が、前記アパーチャの上部に配置され、前記小さい方の円が、前記アパーチャの下部に配置される、請求項１に記載の防水性の１着のズボンおよび／またはウェーダ。
【請求項１６】
体液を排出するための封止可能な開口を含む防水性の１着のズボンおよび／またはウェーダであって、
第１の脚部および第２の脚部を備える１着のズボンおよび／またはウェーダであって、前記第１の脚部および前記第２の脚部が、実質的に着用者のウエスト、またはウエストと首の間で終端する胴部に接続され、前記１着のズボンおよび／またはウェーダが、実質的に防水性の材料を備える、１着のズボンおよび／またはウェーダと、
前記１着のズボンおよび／またはウェーダの鼠径部分に設けられ、前記１着のズボンおよび／またはウェーダに対して防水的に封止される剛性の枠部であって、前記枠部が、前記１着のズボンおよび／またはウェーダの外側を前記１着のズボンおよび／またはウェーダの内側から隔てる枠部アパーチャを形成する、剛性の枠部と、
前記枠部と枢動可能に接続され、前記枠部の前側で前記枠部アパーチャと係合するように構成される、剛性の蓋部と、
前記枠部と前記蓋部の間に設けられて、前記蓋部が閉位置にあるとき、前記枠部アパーチャの防水性閉止具を形成する、封止部とを備え、
前記枠部アパーチャが、大きい方の円弧が少なくとも部分的に、小さい方の円弧と重なる形状を備え、前記大きい方の円弧が、前記枠部アパーチャの上部に設けられ、前記小さい方の円弧が、前記枠部アパーチャの下部に設けられる、防水性の１着のズボンおよび／またはウェーダ。
【請求項１７】
体液を排出するための封止可能な開口を含む防水性の１着のズボンおよび／またはウェーダであって、
第１の脚部および第２の脚部を備える１着のズボンおよび／またはウェーダであって、前記第１の脚部および前記第２の脚部が、実質的に着用者のウエスト、またはウエストと首の間で終端する胴部に接続され、前記１着のズボンおよび／またはウェーダが、実質的に防水性の材料を備える、１着のズボンおよび／またはウェーダと、
前記１着のズボンおよび／またはウェーダの鼠径部分に設けられ、前記１着のズボンおよび／またはウェーダに対して防水的に封止される剛性の枠部であって、前記枠部が、前記１着のズボンおよび／またはウェーダの外側を前記１着のズボンおよび／またはウェーダの内側から隔てる枠部アパーチャを形成する、剛性の枠部と、
前記枠部と枢動可能に、または可動に接続され、前記枠部の前側で前記枠部アパーチャと係合するように構成される、剛性の蓋部と、
前記枠部と前記蓋部の間に設けられて、前記蓋部が閉位置にあるとき、前記枠部アパーチャの防水性閉止具を形成する、封止部と、
裏当てアパーチャを形成する剛性の裏当てであって、前記鼠径部分において、前記裏当ての第１の面と前記枠部の裏側面が、それらの間に前記１着のズボンおよび／またはウェーダの前記防水性の材料を捕捉する、剛性の裏当てと、
前記枠部の前記裏側面と前記１着のズボンおよび／あるいはウェーダの前記防水性の材料との間、かつ／または前記裏当ての前記第１の面と前記１着のズボンおよび／あるいはウェーダの前記防水性の材料との間に配置される少なくとも１つの接着結合剤とを備え、
前記裏当てアパーチャと前記枠部アパーチャが実質的に整列し、
前記枠部の前記裏側面および／または前記裏当ての前記第１の面が、非平滑面を備える、防水性の１着のズボンおよび／またはウェーダ。
【請求項１８】
前記非平滑面が、一連の溝、一連のチャネルまたは粗面のテクスチャ加工部を備える、請求項１７に記載の防水性の１着のズボンおよび／またはウェーダ。
【請求項１９】
前記一連の溝、前記一連のチャネルまたは前記粗面のテクスチャ加工部が、前記枠部アパーチャおよび前記裏当てアパーチャの周りに設けられるとき、前記一連の溝、前記一連のチャネルまたは前記粗面のテクスチャ加工部が、前記枠部の前記裏側面および前記裏当ての前記第１の面の輪郭に従う、請求項１８に記載の防水性の１着のズボンおよび／またはウェーダ。
【請求項２０】
前記裏当てアパーチャのアパーチャサイズが、前記枠部アパーチャと少なくとも同じ大きさである、請求項１７に記載の防水性の１着のズボンおよび／またはウェーダ。
【請求項２１】
体液を排出するための封止可能な開口を含む防水性の１着のズボンおよび／またはウェーダであって、
第１の脚部および第２の脚部を備える１着のズボンおよび／またはウェーダであって、前記第１の脚部および前記第２の脚部が、実質的に着用者のウエスト、またはウエストと首の間で終端する胴部に接続され、前記１着のズボンおよび／またはウェーダが、実質的に防水性の材料を備える、１着のズボンおよび／またはウェーダと、
前記１着のズボンおよび／またはウェーダの鼠径部分に設けられ、前記１着のズボンおよび／またはウェーダに対して防水的に封止される剛性の枠部であって、前記剛性の枠部が、前記１着のズボンおよび／またはウェーダの外側を前記１着のズボンおよび／またはウェーダの内側から隔てる枠部アパーチャを形成する、剛性の枠部と、
前記枠部に枢動可能に接続され、前記枠部の前側で前記枠部アパーチャと係合するように構成される、剛性の蓋部と、
前記枠部と前記蓋部の間に設けられて、前記蓋部が閉位置にあるとき、前記枠部アパーチャの防水性閉止具を形成する、封止部と、
前記枠部の裏側面と前記１着のズボンおよび／またはウェーダの前記防水性の材料との間に配置される接着結合剤とを備え、
前記枠部の前記裏側面が、非平滑面を備える、防水性の１着のズボンおよび／またはウェーダ。
【請求項２２】
前記非平滑面が、一連の溝、一連のチャネルまたは粗面のテクスチャ加工部を備える、請求項２１に記載の防水性の１着のズボンおよび／またはウェーダ。
【請求項２３】
前記一連の溝、前記一連のチャネルまたは前記粗面のテクスチャ加工部が、前記枠部アパーチャの周りに設けられるとき、前記一連の溝、前記一連のチャネルまたは前記粗面のテクスチャ加工部が、前記枠部の前記裏側面の輪郭に従う、請求項２２に記載の防水性の１着のズボンおよび／またはウェーダ。
【請求項２４】
前記ウェーダおよび／またはズボン材料が、少なくとも前記接着結合剤に隣接して設けられる区域において粗化される、請求項２１に記載の防水性の１着のズボンおよび／またはウェーダ。
【請求項２５】
体液を排出するための封止可能な開口を含む防水性の１着のズボンおよび／またはウェーダであって、
第１の脚部および第２の脚部を備える１着のズボンおよび／またはウェーダであって、前記第１の脚部および前記第２の脚部が、実質的に着用者のウエスト、またはウエストと首の間で終端する胴部に接続され、前記１着のズボンおよび／またはウェーダが、実質的に防水性の材料を備える、１着のズボンおよび／またはウェーダと、
前記１着のズボンおよび／またはウェーダの鼠径部分に設けられ、前記１着のズボンおよび／またはウェーダに対して防水的に封止される剛性の枠部であって、前記枠部が、前記１着のズボンおよび／またはウェーダの外側を前記１着のズボンおよび／またはウェーダの内側から隔てる枠部アパーチャを形成する、剛性の枠部と、
前記枠部に枢動可能に接続され、前記枠部の前側で前記枠部アパーチャと係合するように構成される、剛性の蓋部と、
前記枠部と前記蓋部の間に設けられて、前記蓋部が閉位置にあるとき、前記枠部アパーチャの防水性閉止具を形成する、封止部とを備え、
前記枠部アパーチャは、輪郭が大きい方のアパーチャが、同様に形作られた輪郭が小さい方のアパーチャと少なくとも部分的に重なる形状を備え、前記輪郭が大きい方のアパーチャが、前記枠部アパーチャの上部に設けられ、前記輪郭が小さい方のアパーチャが、前記枠部アパーチャの下部に設けられる、防水性の１着のズボンおよび／またはウェーダ。
【発明の詳細な説明】
【技術分野】
【０００１】
関連出願の相互参照
[0001]本ＰＣＴ出願は、２０１６年１１月１８日出願の一部継続出願第１５／３５５，５８０号の優先権を主張し、その一部継続出願自体が、２０１６年６月１６日出願の一部継続出願第１５／１８４，１１９号の優先権を主張しており、その一部継続出願自体が、現時点では２０１６年７月５日発行の特許第９，３８０，８１４号である２０１５年１１月２２日出願の一部継続出願第１４／９４８，３７８号の優先権を主張しており、すべての出願の内容は、これらの参照により全面的に本明細書に援用される。
【０００２】
[0002]本発明は、一般に釣り用ウェーダに関する。より詳細には、本発明は、釣り用ウェーダ、悪天候用ギア（換言すれば、衣服）、またはウォータースポーツウェア向けの水密尿排出ハッチに関する。
【背景技術】
【０００３】
[0003]ウエストウェーダおよびチェストウェーダは、フライフィッシングをする人とルアーフィッシングをする人の両方、猟師などにより、世界中で一般に使用されている。最新のウェーダは、通常は組込み式の足部を有しており、多くの場合、組込み式のストッキング状の足部、またはネオプレンタイプの足部あるいはブーツが存在する。同様の機器は、悪天候の状況においてカニ漁師または他の船乗りによって着用され、サスペンダを備えるチェストタイプの雨天用ズボンが、ジャケットを上に羽織って使用される。フライフィッシング用途またはルアーフィッシング用途では、通常、ウェーダのサスペンダの上から釣り用ベストが着用され、悪天候用ジャケットも上に羽織られる場合がある。たとえば、釣り人がアラスカにいるとき、釣り人が、フリースの上からのジーンズなどの肌着のペア、チェストウェーダおよびサスペンダ、フライフィッシングベスト、ジャケットの上からのレインコート、ウェーディング用安全ベルト、ならびに熊および他の野生生物に対する防御用のトウガラシスプレーキャニスタまたはピストルを収容する別のベルトを身につけるのは、珍しいことではない。
【０００４】
[0004]釣り用途と悪天候用ギア用途の両方において、ウェーダまたは雨天用保護衣服は、長い時間、さらには１日中着用される場合がある。狩猟用ウェーダも非常に一般的である。狩猟用ウェーダには、種々の迷彩柄のものがあり、湿地またはツンドラ、またさらには湖（たとえばカモ猟師）でウェーディングする猟師に対応する。これらのシステムの別名は、「胸当て付きウェーダ（Ｗａｄｅｒｓ  Ｗｉｔｈ  Ｂｉｂｓ」である。１つはインターネットの任意の検索エンジンで参照され、そこでは「ウェーダ」という検索用語を入力して、入手可能な幅広い種類を見ることができる。釣り用ウェーダの製造業者には、Ｃａｂｅｌａ’ｓ（登録商標）、Ｏｒｖｉｓ（登録商標）、Ｓｉｍｍｓ（登録商標）、Ｒｅｄｂａｌｌ（登録商標）、Ｈｏｄｇｍａｎ（登録商標）、および他の多くの製造業者が含まれる。ウェーダは、単純なウェーダである場合もあり、雨天用保護スーツである場合もある。ズボンまたはチェストハイウェーダは、ゴムでできていても、Ｇｏｒｅ−ｔｅｘ（登録商標）などの、最新の高度な技術の通気性の布でできていてもよい。
【０００５】
[0005]排尿のためにウェーダおよびこの機器のすべてを脱ぐのは、実に煩わしいことである。それは不便であるだけではなく、激しい暴風雨の中では、その過程で非常に濡れる可能性がある。アラスカでフライフィッシングをする人にとって、フライフィッシングベストおよびジャケットを脱ぎ、下に下ろすことは、しばしばそれを川のぬかるんだ土手、またはそれより酷い場所に置くことになる。さらに、すべてのギアを脱ぐことにより、野生生物から自身を守る必要がそれと同時に発生した場合、釣り人または猟師は、一時的に、銃器または熊よけスプレーに手が届かなくなる可能性がある。この不運な状況がたとえ決して起こらなくても、毎回ギアを取り外す必要があり、自身をより危険な状況に置くことは、依然として釣り人または猟師を非常に不安にさせるものである。
【０００６】
[0006]脱水症状は、フライフィッシングをする人または猟師に起きる可能性がある、別の重要な課題である。最新の透湿性ウェーダの出現で、今や、ウェーダを着用して何マイルもハイキングすることが可能である。２０１２年の７月と８月に、本特許出願の発明者は、アラスカ南東部の川および小川で広範に釣りをした。排尿するためにギアおよびウェーダのすべてを取り外すことは非常に煩わしいので、ほとんど水を飲まない傾向があることを、発明者は見いだした。脚は痙攣し、脱水症状による他の症状が何度も現れた。これは、単純に身体に有害な状態である。ウェーダを着用している釣り人または猟師が好きなだけ飲み物をとり、それでいてなお迅速かつ効率的に排尿できるようにすることが必要とされている。
【０００７】
[0007]こうした課題および懸念に対処するために、多くの試みが既になされてきたが、それらは失敗しているか、または発明を市場に出すことができていない。Ｏｒｖｉｓ（登録商標）の米国特許第７，７７０，２３５号は、テープまたはソニックウェルドを利用して、耐久性があり、軽量かつ快適なウェーダを実現する、表面がナイロンの軽量の積層材料から構成される典型的な最新式の釣り用ウェーダを説明する。‘２３５の特許は、排尿を容易にするための備えは有しない。しかし、ゴムの衣類またはウェーダの複数の特許が、排尿用の機能を開示する。たとえば、Ｐｌａｔｔに与えられた米国特許第２９１，８５４号は、水が入るのを防止するための折り目を有する、ウェーダの前面のストラップのついた開口を示す。当然、これは本発明と比較して非常に粗雑で煩雑な手法である。
【０００８】
[0008]米国特許第２，３８５，８１６号は、防水性封止クロージャジッパを示し、これはやはり使用するのが非常に困難かつ煩雑であり、たとえば川または湖において、長期の含浸中には、完全に防水性ではない。
【０００９】
[0009]米国特許第２，５７０，０１９号は、排尿を容易にするための、引き紐を備える突起部を示す。これには、複数の明らかな弱点がある。これは、審美的に許容できないだけではなく、非常に汚くなる傾向もあるはずである。
【００１０】
[0010]米国特許第２，７４６，１１３号は、さらに別のタイプの防水性ジッパを示し、これは、長期の含浸中には、やはり完全に防水性ではない。
[0011]米国特許第２，８５３，７５８号は、布を堅く巻き、次いでそれを締め付けて、防水性の封止を試みる方法を示す。これは、その上を紐で締める構造も有する。当然、これらすべては非常に煩雑であり、おそらく単に衣服を脱ぐよりも非効率なはずである。
【００１１】
[0012]米国特許第４，２７４，１５９号は、巻上げ部および防水性ジッパを有する管の一タイプを示す。これは、審美的に許容できず、汚く、煩雑でもある。
[0013]米国特許第４，６０１，０８５号は、耐水性の摺動留め具を示し、これは、実際に使用するのが非常に煩雑で困難に思われる。
【００１２】
[0014]米国特許第４，８８８，８５９号も、水密の摺動留め具を示し、これは、長期の含浸中には完全に防水性でないように思われる。
[0015]米国特許第５，２１０，８７９号は、釣り人が衣服を下ろす必要なしに排尿するのを可能にする開閉手段が装備されるウェーダを示す。しかし、この開口は、管状部材の形をとっており、これは、水の侵入を防ぐために、巻かれ、次いでＶｅｌｃｒｏ（登録商標）を使って閉じられなければならない。やはり、これは審美的に満足できるものではなく、汚く、これが実際に水密封止部を形成することになるのかどうか、疑わしくもある。
【００１３】
[0016]米国特許第５，４４４，８９８号は、別のタイプの耐水性閉止具を示し、これは、摺動ファスナ組立体、および防水性の布と一体化された１対のストリンガテープを含む。野外では、これは使用するのが困難であり、再び閉じて戻すのは非常に困難であるはずである。
【００１４】
[0017]米国特許第６，１０５，２１４号は、縁部に沿って配置される把持要素を有する耐水性の摺動留め具を示す。やはり、これは使用するのが非常に困難であり、長期の含浸中には品質が疑わしく思われる。
【００１５】
[0018]米国特許第６，２２３，３４９号は、ウォータースポーツスーツのスリット開口用の閉止具装置を示す。これは、全体が含浸している間、防水性でもよく、防水性でなくてもよい、ジッパ閉止具の一タイプである。いずれにしても、これは野外で使用するのが困難であり、チェストウェーダ向けには非実用的なはずである。大半のウェーダは、ウエスト区域のずっと上まで届く。‘３４９の特許の図５に示される図面は、実に非現実的である。言い換えれば、１着のリーバイス（Ｌｅｖｉｓ）と類似した衣服の上部で、ジッパを開くことはできない。これは、ウェーダは、通常は胸部まで伸びており、そこにはフライフィッシングボックスなどを保持するための１つまたは複数のポケットがある場合があるからである。これは、従来の様式では、実際には上部でジッパを開く方法がないという点で、あらゆるジッパ手法において極めて重要な問題である。これは、衣服が、鼠径部区域のかなり上まで届くためである。胸部から鼠径部に至るまで衣服全体をジッパ操作することは、次いで急速に極めて非実用的になるポケット、安全ベルトおよびサスペンダを必要とする。
【００１６】
[0019]米国特許第６，３１７，８９３号は、安全ベルト２４およびサスペンダ１４を有する、従来技術のウェーダのよい実例である。この特定の発明は、排尿用の備えは有しないが、ウェーダを取り外し、それを引き下ろすことの困難さを示す。ウェーダを着用している人が川または湖に滑り込んだ場合、ウェーダの脚部は非常に急速に水で満たされることになり、その水がシステムに即座に多くの重量をかけ、生命を脅かす場合があるので、ウェーダ安全ベルト２４は極めて重要である。したがって、１つまたは複数のウェーダベルト２４またはウェーダベルト１８が着用されて、このようにシステムに水が入ることを防止する。たとえ水が生命を脅かすものではなくても、水は間違いなく肌着を濡らすことになり、着用者は非常に濡れ、その日の残りを惨めに過ごすことになる。
【００１７】
[0020]米国特許第６，３６３，５３１号および特許第６，４３８，７５７号は、防水性ジッパの種類を示す。‘７５７の特許は、上部にフラップエンクロージャを備えるようになされるジッパを示し、その結果、ジッパはチェスト区域までずっとジッパ操作される必要がないことになる。しかし、結果として起こる次の問題は、好都合に排尿できるのに十分な開口という点では、非常に細いスリットになるということである。
【００１８】
[0021]米国特許第６，３８９，５９８号は、封止可能でアクセス可能なウェーダシステムを示す。この特定の発明は、開口を形成するウェーダ材料を作り出すことを試みている。取外し可能に個別で独立した閉止具要素は、ウェーダから着脱可能である。これは、閉止具要素が、排尿中、地面に置かれるか、または使用者の片手で保持されなければならないという点で、問題を生み出す。これは不格好で、使用する際、操作が困難である可能性がある。閉止具要素が地面に置かれる場合、閉止具要素が汚れ、次いで再び取り付けられるとき、後で水密封止部と干渉する可能性がある。閉止具要素を、排尿プロセスの妨げにならない場所でウェーダに取り付けるための備えは存在しない。さらに、この特定の発明は、ウェーダ材料が、水密ハッチを形成するために使用するのに適した材料ではないとき、このような構造がどのように製造されることになるかを開示または教示していない。ウェーダ材料は、実質的に剛性ではないので、実質的に可撓性、柔軟かつゆったりとしており、その形状を維持しない。その構造は、製造も、現実に機能することもできないので、この特許の開示は、当業者が、実際にこの発明を実施できるようにしていない。
【発明の概要】
【発明が解決しようとする課題】
【００１９】
[0022]したがって、容易にめくって開くことができ、着用者が他の衣服、ベルトまたは装備品のいずれも取り外すことなく排尿するのを可能にする便利なアクセスハッチを、ウェーダまたは同等の衣服に提供することが求められている。従来技術のいずれも、素早く開くことができる蝶番付きの蓋部を有する封止エンクロージャ区域を示していない。本発明は、蝶番付きのアクセスカバーを提供し、これは円でも、楕円でも、閉じられるとき信頼性が高い防水性封止部を提供する多くの形状でもよい。これには、非常に簡単に開くことができるように、簡易解除スナップが提供される。開口は、肌着に好都合にアクセスし、排尿できるのに十分な大きさであり、システム全体は、排尿中に汚くなる場合がある管またはトンネルを備えない。さらに、アクセスカバーには、プロセス中、邪魔にならないよう上げておくことができるように、便利なアタッチメント機構が提供される。アクセスカバーは、定位置に戻してはめることにより容易に閉じられ、ウェーダまたは衣服の防水性封止部を再び形成する。本発明は、上で論じられた要求を満たし、かつ関連する他の利点をもたらす。
【課題を解決するための手段】
【００２０】
[0023]本発明の例示的な実施形態は、体液を排出するための封止可能な開口を含む防水性の１着のズボンおよび／またはウェーダであって、第１の脚部および第２の脚部を備える１着のズボンおよび／またはウェーダであって、第１の脚部および第２の脚部が、実質的に着用者のウエスト、またはウエストと首の間で終端する胴部に接続され、１着のズボンおよび／またはウェーダが、実質的に防水性の材料を備える、１着のズボンおよび／またはウェーダと、１着のズボンおよび／またはウェーダの鼠径部分に設けられ、１着のズボンおよび／またはウェーダに対して防水的に封止される剛性の枠部であって、枠部が、１着のズボンおよび／またはウェーダの外側を１着のズボンおよび／またはウェーダの内側から隔てる枠部アパーチャを形成する、剛性の枠部と、枠部と枢動可能に、または可動に接続されて１着のズボンおよび／またはウェーダの外側に設けられ、枠部アパーチャと係合するように構成される、剛性の蓋部と、枠部と蓋部の間に設けられて、蓋部が閉位置にあるとき、枠部アパーチャの防水性閉止具を形成する、封止部と、裏当てアパーチャを形成する剛性の裏当てであって、鼠径部分において、裏当ての第１の面と枠部の裏側面が、それらの間に１着のズボンおよび／またはウェーダの防水性の材料を捕捉する、剛性の裏当てと、枠部の裏側面と１着のズボンおよび／またはウェーダの防水性の材料との間、かつ／または裏当ての第１の面と１着のズボンおよび／またはウェーダの防水性の材料との間に配置される少なくとも１つの接着結合剤とを備え、裏当てアパーチャと枠部アパーチャが、実質的に整列し、裏当てアパーチャの面積が、枠部アパーチャと比べて等しい、またはそれより大きい、防水性の１着のズボンおよび／またはウェーダを含む。
【００２１】
[0024]他の実施形態では、裏当てアパーチャのアパーチャサイズは、少なくとも枠部アパーチャと同じ大きさでもよい。
[0025]他の実施形態では、裏当ては、裏当てアパーチャの内周部に沿って隆起縁部を備えてもよく、隆起縁部は、枠部アパーチャの第２の内周部に沿って枠部の第２の隆起縁部に形成される周縁アンダーカットの中に配置される。
【００２２】
[0026]他の実施形態では、蓋部は、蓋部が閉位置にあるとき枠部に向かって延在する第３の隆起縁部を備えてもよく、蓋部が閉位置にあるとき、蓋部の第３の隆起縁部は、枠部の第２の隆起縁部に整列し、封止部の少なくとも一部をそれらの間で互いに捕捉する。
【００２３】
[0027]他の実施形態では、枠部の裏側面および／または裏当ての第１の面は、平滑でない面を備えてもよい。平滑でない面は、一連の溝、一連のチャネルまたは粗面のテクスチャ加工部を備えてもよい。一連の溝、一連のチャネルまたは粗面のテクスチャ加工部が、枠部アパーチャおよび裏当てアパーチャの周りに設けられるとき、一連の溝、一連のチャネルまたは粗面のテクスチャ加工部は、枠部の裏側面および裏当ての第１の面の輪郭に従ってもよい。
【００２４】
[0028]他の実施形態は、枠部に連結され、蓋部を閉位置に保持するように構成される手動で解除可能な係止部を含んでもよい。
[0029]他の実施形態は、蓋部または枠部のいずれかに接続され、蓋部と枠部を互いに固定するように構成される、圧縮係止部を含んでもよい。
【００２５】
[0030]他の実施形態は、枠部または１着のズボンおよび／もしくはウェーダに接続され、蓋部を開位置に保持するように構成される一時的アタッチメント機構を含んでもよく、一時的アタッチメント機構は、磁石、面ファスナまたは係止部を備える。
【００２６】
[0031]他の実施形態は、１着のズボンおよび／またはウェーダに接続されて枠部および蓋部を覆う美的フラップを含んでもよい。
[0032]他の実施形態では、防水性の１着のズボンは、１足の防水性または耐水性のブーツまたは靴を覆って滑動するように構成されてもよい。
【００２７】
[0033]他の実施形態では、防水性の１着のウェーダは、第１の脚部および第２の脚部に恒久的または取外し可能にそれぞれ接続される第１の足部またはブーツ部および第２の足部またはブーツ部を含んでもよい。
【００２８】
[0034]他の実施形態は、枠部と蓋部の間に連結されるばねを含んでもよく、ばねは、蓋部を開位置に付勢する。
[0035]他の実施形態では、枠部アパーチャと裏当てアパーチャの各々が、大きい方の円が少なくとも部分的に、小さい方の円と重なる形状を備えてもよく、大きい方の円は、アパーチャの上部に配置され、小さい方の円は、アパーチャの下部に配置される。
【００２９】
[0036]本発明の別の例示的な実施形態は、体液を排出するための封止可能な開口を含む防水性の１着のズボンおよび／またはウェーダであって、第１の脚部および第２の脚部を備える１着のズボンおよび／またはウェーダであって、第１の脚部および第２の脚部が、実質的に着用者のウエスト、またはウエストと首の間で終端する胴部に接続され、１着のズボンおよび／またはウェーダが、実質的に防水性の材料を備える、１着のズボンおよび／またはウェーダと、１着のズボンおよび／またはウェーダの鼠径部分に設けられ、１着のズボンおよび／またはウェーダに対して防水的に封止される剛性の枠部であって、枠部が、１着のズボンおよび／またはウェーダの外側を１着のズボンおよび／またはウェーダの内側から隔てる枠部アパーチャを形成する、剛性の枠部と、枠部と枢動可能に、または可動に接続され、枠部の前側で枠部アパーチャと係合するように構成される、剛性の蓋部と、枠部と蓋部の間に設けられて、蓋部が閉位置にあるとき、枠部アパーチャの防水性閉止具を形成する、封止部とを備え、枠部アパーチャが、大きい方の円弧が少なくとも部分的に、小さい方の円弧と重なる形状を備え、大きい方の円弧が、枠部アパーチャの上部に設けられ、小さい方の円弧が、枠部アパーチャの下部に設けられる、防水性の１着のズボンおよび／またはウェーダを含む。
【００３０】
[0037]本発明の別の例示的な実施形態は、体液を排出するための封止可能な開口を含む防水性の１着のズボンおよび／またはウェーダであって、第１の脚部および第２の脚部を備える１着のズボンおよび／またはウェーダであって、第１の脚部および第２の脚部が、実質的に着用者のウエスト、またはウエストと首の間で終端する胴部に接続され、１着のズボンおよび／またはウェーダが、実質的に防水性の材料を備える、１着のズボンおよび／またはウェーダと、１着のズボンおよび／またはウェーダの鼠径部分に設けられ、１着のズボンおよび／またはウェーダに対して防水的に封止される剛性の枠部であって、枠部が、１着のズボンおよび／またはウェーダの外側を１着のズボンおよび／またはウェーダの内側から隔てる枠部アパーチャを形成する、剛性の枠部と、枠部と枢動可能に、または可動に接続され、枠部の前側で枠部アパーチャと係合するように構成される、剛性の蓋部と、枠部と蓋部の間に設けられて、蓋部が閉位置にあるとき、枠部アパーチャの防水性閉止具を形成する、封止部と、裏当てアパーチャを形成する剛性の裏当てであって、鼠径部分において、裏当ての第１の面と枠部の裏側面が、それらの間に１着のズボンおよび／またはウェーダの防水性の材料を捕捉する、剛性の裏当てと、枠部の裏側面と１着のズボンおよび／またはウェーダの防水性の材料との間、かつ／または裏当ての第１の面と１着のズボンおよび／またはウェーダの防水性の材料との間に配置される、少なくとも１つの接着結合剤とを備え、裏当てアパーチャと枠部アパーチャが、実質的に整列し、枠部の裏側面および／または裏当ての第１の面が、平滑でない面を備える、防水性の１着のズボンおよび／またはウェーダを含む。平滑でない面は、一連の溝、一連のチャネルまたは粗面のテクスチャ加工部を備えてもよい。
【００３１】
[0038]本発明の別の例示的な実施形態は、体液を排出するための封止可能な開口を含む防水性の１着のズボンおよび／またはウェーダであって、第１の脚部および第２の脚部を備える１着のズボンおよび／またはウェーダであって、第１の脚部および第２の脚部が、実質的に着用者のウエスト、またはウエストと首の間で終端する胴部に接続され、１着のズボンおよび／またはウェーダが、実質的に防水性の材料を備える、１着のズボンおよび／またはウェーダと、１着のズボンおよび／またはウェーダの鼠径部分に設けられ、１着のズボンおよび／またはウェーダに対して防水的に封止される剛性の枠部であって、剛性の枠部が、１着のズボンおよび／またはウェーダの外側を１着のズボンおよび／またはウェーダの内側から隔てる枠部アパーチャを形成する、剛性の枠部と、枠部と枢動可能に、または可動に接続され、枠部の前側で枠部アパーチャと係合するように構成される、剛性の蓋部と、枠部と蓋部の間に設けられて、蓋部が閉位置にあるとき、枠部アパーチャの防水性閉止具を形成する、封止部と、枠部の裏側面と１着のズボンおよび／またはウェーダの防水性の材料との間に配置される接着結合剤とを備え、枠部の裏側面が、平滑でない面を備える、防水性の１着のズボンおよび／またはウェーダを含む。平滑でない面は、一連の溝、一連のチャネルまたは粗面のテクスチャ加工部を備えてもよい。
【００３２】
[0039]一例として本発明の原理を図示する添付図面と併せて解釈されるとき、本発明の他の特徴および利点は、以下のより詳細な説明から明らかになろう。
[0040]添付図面は、本発明を図示する。
【図面の簡単な説明】
【００３３】
【図１】[0041]従来技術のウェーダの斜視図である。
【図２】[0042]本発明を具体化する例示的な排出ハッチを備えるウェーダの斜視図である。
【図３】[0043]図２の排出ハッチを拡大して示す斜視図である。
【図４】[0044]ここで、開位置にある排出ハッチを示す、図３と同様の図である。
【図５】[0045]ここで、ウェーダの下のジッパ付きのズボンを示す、図４と同様の図である。
【図６】[0046]線６−６に沿って取られた図３の構造体の横断面図である。
【図７】[0047]線７−７に沿って取られた図４の構造体の横断面図である。
【図７Ａ】[0048]ここで、ばね機構を示す、図７から取られた部分７Ａ−７Ａと同様の構造体の拡大図である。
【図７Ｂ】[0049]ここで、開位置にあるカム機構を示す、図７から取られた部分７Ｂ−７Ｂと同様の構造体の拡大図である。
【図７Ｃ】[0050]ここで、閉位置にあるカム機構を示す、図７から取られた部分７Ｃ−７Ｃと同様の構造の拡大図である。
【図７Ｄ】[0051]ここで、カム機構の新たな実施形態を示す、図７から取られた部分７Ｄ−Ｄと同様の構造の拡大図である。
【図７Ｅ】[0052]ここで、カム機構の別の新たな実施形態を示す、図７から取られた部分７Ｅ−Ｅと同様の構造の拡大図である。
【図８】[0053]線８−８に沿って取られた、図６の構造体を拡大して示す図である。
【図９】[0054]ここで蓋部がわずかに開かれた、図８と同様の図である。
【図１０】[0055]線１０−１０に沿って取られた、図７の構造体を拡大して示す図である。
【図１１】[0056]ここで別の実施形態を示す、線１０−１０に沿って取られた図７の構造体を拡大して示す図である。
【図１２】[0057]ここでさらに別の実施形態を示す、線１０−１０に沿って取られた図７の構造体を拡大して示す図である。
【図１３】[0058]本発明を具体化する、別の例示的な排出ハッチの斜視図である。
【図１４】[0059]ここで、開位置にある排出ハッチを示す、図１３と同様の図である。
【図１５】[0060]線１５−１５に沿って取られた図１３の構造体の横断面図である。
【図１６】[0061]線１６−１６に沿って取られた図１４の構造体の横断面図である。
【図１７】[0062]線１７−１７に沿って取られた、図１５の構造体を拡大して示す図である。
【図１８】[0063]ここで代替の封止装置を示す、図１７と同様の図である。
【図１９】[0064]ここで、下向きに開いている蓋部を示す、例示的な排出ハッチのさらに別の実施形態の斜視図である。
【図２０】[0065]本発明を具体化する別の例示的な排出ハッチの横断面図である。
【図２１】[0066]本発明を具体化する別の例示的な排出ハッチの横断面図である。
【図２２】[0067]本発明を具体化する別の例示的な排出ハッチの横断面図である。
【図２３】[0068]排出ハッチの任意の例示的な実施形態のための、審美的カバーの斜視図である。
【図２４】[0069]ここで、排出ハッチが隠されていることを示す、図２３と同様の図である。
【図２５】[0070]排出ハッチ改造キットの例示的な実施形態の斜視図である。
【図２６】[0071]切抜きテンプレートおよびカッティングボードの斜視図である。
【図２７】[0072]カッティングボードを後ろに置いて、ウェーダに沿って切られる、図２６の切抜きテンプレートの斜視図である。
【図２８】[0073]図２５の排出ハッチをウェーダに結合する、例示的な実施形態を示す斜視図である。
【図２９】[0074]排出ハッチ改造キットの別の例示的な実施形態の斜視図である。
【図３０】[0075]カッティングボードを後ろに置いて、ウェーダに沿って切られる、図２９の切抜きテンプレートの斜視図である。
【図３１】[0076]ウェーダに固定され、封止される、図２９の構造体の分解斜視図である。
【図３２】[0077]完成した図３１の組立体の斜視図である。
【図３３】[0078]留めが完了する直前の、線３３−３３に沿って取られた図３２の構造体の横断面図である。
【図３４】[0079]ここで、完成した水密な組立体を示す、図３３と同様の横断面図である。
【図３５】[0080]排出ハッチの別の例示的な実施形態の斜視図である。
【図３６】[0081]排出ハッチの別の例示的な実施形態の断面図である。
【図３７】[0082]ここで、サスペンダを有するチェストハイズボンを備える、排出ハッチの別の実施形態の斜視図である。
【図３８】[0083]ここで、サスペンダを有するウエストハイズボンを備える、排出ハッチの別の実施形態の斜視図である。
【図３９】[0084]ここで、着脱可能ブーティを有するチェストハイズボンを備える、排出ハッチの別の実施形態の斜視図である。
【図４０】[0085]ここで、着脱可能ブーティを有するウエストハイズボンを備える、排出ハッチの別の実施形態の斜視図である。
【図４１】[0086]ここで、一体化された全天候用ブーツを有するチェストハイズボンを備える、排出ハッチの別の実施形態の斜視図である。
【図４２】[0087]ここで、一体化された全天候用ブーツを有するウエストハイズボンを備える、排出ハッチの別の実施形態の斜視図である。
【図４３】[0088]本発明の排出ハッチおよび鼠径部保護具の、別の例示的な実施形態の斜視図である。
【図４４】[0089]図４３の構造体の拡大斜視図である。
【図４５】[0090]図４４の構造体の基部の斜視図である。
【図４６】[0091]図４４の構造体の側面図である。
【図４７】[0092]図４６の構造体の分解側面図である。
【図４８】[0093]本発明のアパーチャの例示的な実施形態の正面図である。
【図４９】[0094]本発明のアパーチャの別の例示的な実施形態の正面図である。
【図５０】[0095]本発明のアパーチャの別の例示的な実施形態の正面図である。
【図５１】[0096]ここで、左側および右側の拡張部を含む例示的な基部の別の実施形態を示す、図４５と同様の図である。
【図５２】[0097]どんぐり状の形状をもつ、本発明のアパーチャの別の例示的な実施形態の正面図である。
【図５３】[0098]本発明と共に使用され得る、女性の排尿補助具である。
【図５４】[0099]ここで、胸壁部（ｃａｓｔｅｌｌａｔｉｏｎ）状の特徴部に捕捉されるウェーダ材料を示す、図４４の線５４−５４で全体を取られた分解断面図である。
【図５５】[0100]ここで、ウェーダ材料によりよく結合するために、タブ状の拡張部を備える、枠部の別の例示的な実施形態の斜視図である。
【図５６】[0101]ここで、タブ状の拡張部と、厚みが薄くなった屈曲部において、タブ状の拡張部がどのように枢動し得るかとを示す、図５５の線５６−５６で全体を取られた分解断面図である。
【図５７】[0102]ここで、ウェーダ材料によりよく結合するために可撓性の連続的な拡張部を備える、枠部の別の例示的な実施形態の斜視図である。
【図５８】[0103]ここで、可撓性の連続的な拡張部と、可撓性の連続的な拡張部が、どのように枠部に結合され得るかとを示す、図５５の線５８−５８で全体を取られた分解断面図である。
【図５９】[0104]ここで、成形を容易にするために逆方向に向く係止部を示す、図４７と同様の分解側面図である。
【図６０】[0105]２重封止部を有する、本発明の一実施形態の断面図である。
【図６１】[0106]単一の封止部を有する、本発明の別の実施形態の断面図である。
【図６２】[0107]尿排出ハッチ組立体のさらなる発展形態の斜視図である。
【図６３】[0108]ここでは逆の方向からの、図６２の構造体の斜視図である。
【図６４】[0109]図６２および図６３の構造体と共に使用され得る、封止区域の例示的な実施形態の断面図である。
【図６５】[0110]ここで、封止区域の別の例示的な実施形態を示す、図６４と同様の断面図である。
【図６６】[0111]ここで、封止区域のさらに別の例示的な実施形態を示す、図６４および図６４と同様の断面図である。
【図６７】[0112]図６６の構造体の分解図である。
【図６８】[0113]改良型の結合技法を示す、図６６の構造体から取られた拡大断面図である。
【図６９】[0114]図６８と非常に類似しているが、ここで、粗面が、枠部の周縁部に沿って走る一連の三角形の形状の切抜きまたはチャネルとして形成される、拡大断面図である。
【図７０】[0115]ここで、裏当てプレートがなくされているので、粗面を備える単一の枠部のみを有する別の実施形態を示す、図６８および図６９と同様の拡大断面図である。
【図７１】[0116]ここで、アパーチャの輪郭に従う接着面を示す、裏当てプレートの斜視図である。
【図７２】[0117]ここで、結合強度を高めるために非透湿性ウェーダ材料に形成されるチャネルおよび分解図を示す、図６８および図７０と同様の断面図である。
【図７３】[0118]図６２および図６３のアパーチャを幾何学的に示した図である。
【発明を実施するための形態】
【００３４】
[0119]図１は、従来技術のチェストウェーダ１００を示す。これらは、従来技術の雨天用ギアと同等でもある。チェストウェーダ１００は、ゴム、Ｇｏｒｔｅｘ（登録商標）などの種々の透湿性の膜、ネオプレン、または任意の他の布でできていてもよい。ウェーディング用途では、通常は安全ベルト１０２が着用される。これは、たとえば川の中の深みに滑り込んだ場合、ウェーダの下部に急に水が入ってくることを防止する、堅く、またはぴったりとフィットするベルトである。サスペンダ１０４は、肩に掛けて着用され、ウェーダを定位置に保つ。
【００３５】
[0120]図１を再び参照すると、ウェーダは、実際は同様の系統の衣服全体を含んでもよい。本明細書で定義される「ウェーダ」という用語は、チェストハイウェーダ、ウエストハイウェーダ、悪天候用または雨天用スーツ、保護スーツ、アイスレスキュースーツ、サバイバルスーツ、およびウォーターレスキュードライスーツを含むものとする。「ウェーダ」という用語は、ウエットスーツであろうとドライスーツであろうと、任意のタイプのスキューバダイビング用ギアにも拡張可能である。本明細書において使用される「ウェーダ」という用語は、最も広い意味では、任意のタイプの防水性の衣類を指すものとする。一実施形態では、「ウェーダ」は、足部１０６がウェーダのズボンに対して封止されているのではなく、実際は別個のブーツであり、衣服１００はブーツを覆うように滑り下ろされ、それによって水がブーツに入ることを防ぐ、雨天用ギアである場合がある。同様に、雨天用ジャケットが、組込み式のフードまたは帽子と共に、ウェーダの上に着用される（図示せず）ことになる。これらのタイプの高耐久性の海用雨天ギアシステムは、カニ漁師または他の漁師が極端な天候条件の中で海に出る、たとえば太平洋岸北西部全域で着用される。船員などの航海士（ｏｃｅａｎ  ｐａｓｓａｇｅ  ｍａｋｅｒ）も、同様の悪天候用ギア、具体的には保護スーツを必要とする。
【００３６】
[0121]組込み式の足部１０６を備えるウェーダ１００の用途には、従来の釣り人とフライフィッシングをする人の両方、ならびにカモ猟師および他の多くのタイプの屋外スポーツが含まれる。たとえば、本発明者は、アラスカで広範にウェーダを使用しており、そこではウェーダでだけではなく雨天用タイプのジャケットも着用され、その上（またはその下）にフライフィッシングベストも着用される。さらに、通常は安全ベルト１０２のやや下に設けられ、銃器、トウガラシスプレー、ナイフ、または同様の物品を収容することができる別のベルト（図示せず）が存在する。本発明者は、たとえばベルトクリップに手持ち式ラジオも身につけていた。
【００３７】
[0122]ハイキングおよびウェーディングをしているとき、適切に水分補給した状態でいることは非常に大切である。図１に示され、説明されたこのようなシステムを着用しているとき、排尿は容易ではないので、これは重要な問題であるということを発明者は見いだした。排尿するためには、まず銃、トウガラシスプレーキャニスタ、およびラジオなどの装備品を収容しているベルトを取り外さなければならない。そのすべてのポケットを備えるフライフィッシングベスト、および雨天用ジャケットも取り外す必要がある。次いで安全ベルト１０２、次にサスペンダ１０４を取り外さなければならず、この時点でようやく、排尿行為を行うためにズボンのジッパを下ろす、またはフリースを引き下ろすことができるところまで、ウェーダを下ろす準備ができる。これは、適切に水分補給した状態でいるとき、平均的な成人男性の場合で、この過程が１日に５〜１０回繰り返される可能性があることを意味する。大半とは言わないまでも多くの漁師が男性であり、かつ年齢層が高い（すなわち前立腺が肥大している）ということを加味すると、これは、排尿頻度が非常に大きい問題になるということを意味する。
【００３８】
[0123]図２は、図１と非常に類似しているが、示されるように蓋部１１０を含む、尿排出ハッチ組立体１０８である本発明を図示する。この尿排出ハッチ１０８は、後に続く図面に示されるように、多くの形態になることができる。一般に、尿排出ハッチ１０８は、容易に上げられ得るように、密閉の水密封止部および蝶番１１６を有する。この場合、尿排出蓋部を便利に定位置に保持する、面ファスナパッチ、スナップ、磁石など１１２が存在する。本発明は、容易にペニスに手が届き得るように、ジッパの代わりに大きいフラップを備える、フリースなどの適切な肌着と一緒に着用されることが最良である。図１９の代替実施形態で示されるように、尿排出蓋部１５０が下に折れ、ウェーダの開口の下で、単に重力で垂れ下がることも考えられる。尿排出蓋部１１０の断面直径が、肌着に容易に手が届くのに十分な大きさであることも重要である。これは、女性が、ＧｏＧｉｒｌ（商標）などの素晴らしい排尿装置と共にシステムを使用することも容易にする。ＧｏＧｉｒｌ（商標）は、女性が立ちながら排尿することを可能にする、可撓性で柔らかいゴムのような構造体である。これは、本発明と組み合わせて使用され得る、衛生的、持運び可能、個別かつ再利用可能な装置である。女性にとって、本発明の蓋部１１０を開き、次いで開いた蓋部１１０を通じて体液を送り出すようにＧｏＧｉｒｌ（商標）を挿入することによりＧｏＧｉｒｌ（商標）などの装置を使用することは、簡単なはずである。
【００３９】
[0124]図３は、図２の部分３−３から取られており、尿排出蓋部１１０を拡大図で示す。単に親指で押し下げることによって作動される、簡易で便利な解除スナップ１１４が示される。蓋部１１０は、基部１０５に取り付けられるゴムのＯリング封止部（ガスケット、圧縮性ワッシャ）などに対して圧縮されるとき、自動的に開き、ゴムのＯリング封止部は、自然にばねとして機能し、蓋部をしっかりと着座したままにするが、蓋部を自然に開くようにもする。蝶番１１６も示されており、これは、この実施形態では尿排出ハッチの上部に示される。
【００４０】
[0125]図４は、図３と同じであるが、基部１０５から離れた開位置にある排出蓋部１１０を示す。スナップ１１４は押し下げられており、その結果、スナップ１１４はスナップ保持器１２８から係合解除し、それにより、排出蓋部１１０全体が、その蝶番組立体１１６を支点として枢動することが可能になる。排出ハッチを通して、衣服１１８が示されている。この場合、衣服は、何らかの長い下着またはフリースである。ペニスに便利に手が届くように、任意選択のフラップになった開口１２０が存在する。同様のタイプの衣服には、このようなフラップを有しないものもあるが、試験中、発明者は、こうした衣服をそのゴムバンドから下げ、さらに容易にペニスに手を伸ばすのは非常に簡単であることを見いだした。Ｏリングである場合もあるシリコーンゴムまたは同様の可撓性材料の封止部が、１２４で示される。種々のタイプの封止部は、本発明によって限定されることはないが、後に続く図面において、いくつかの例が与えられる。本開示の全体を通して開示され、示される任意の実施形態に対して、封止部、ガスケットまたは圧縮性ワッシャの種々の形態が適用できることが、当業者には知られていよう。尿排出蓋部１１０が閉じられるとき、尿排出蓋部１１０は、スナップ保持器１２８とスナップ組立体自体との間の定位置でしっかりと留まるまで、その枢動部１１６を支点として下方に動く。後に続く図面において述べられるように、プラスチック、金属、複合材料、木材、ガラス繊維、積層体、またはこれらの組合せなどの種々の材料が、これらのあらゆる構造体に使用されてもよい。
【００４１】
[0126]図５は、肌着１１８’がジッパ１２２を有することを除き、図４と非常に類似している。これは、たとえば単なる１着のジーンズに相当することになる。排出蓋部１１０が開位置にある場合、ジッパ１２２を下ろして、排尿のためにペニスに手を届かせるのが非常に容易であろうことが理解され得る。本発明は男性に使用されることを意図されているが、女性が使用する場合もあることも留意される。本発明を使用するのを助けるために、女性によって補助装置が使用されてもよい。たとえば、尿を捕捉して、本発明から出るように通すことを助けるＧｏＧｉｒｌ（商標）などの衛生漏斗が、女性によって使用されてもよい。
【００４２】
[0127]図６は、図３の部分６−６から取られている。尿排出蓋部１１０が、スナップ組立体１１４、１３２により、閉じて収まっているのが示されている。圧縮封止部１２６と接触して着座しているのが示される、外周の可撓性、または変形可能な封止部１２４が存在する。圧縮封止部１２６に圧入されるとき、封止部がどのように形成されることになるかが見て取られ得る。これは、ウェーダまたは高耐久性の雨天用ウェアにとって極めて重要な水密封止部を形成する。特に、ウェーダのこの区域がほとんどの時間において水中にある場所でウェーダを着用するとき、これは重要である。ウェーダまたは雨天用ギア衣服１００と尿排出ハッチ組立体１０８との間の連結をなす封止ジョイント（換言すれば、接続部）１３０が示されている。示されることになるように、このジョイントは、熱硬化性接着剤、糊、ラバーボンド、ステッチ、サーマルボンド、溶着、リベット、または防水性かつ強力であろう任意の他のタイプのジョイントでもよい。
【００４３】
[0128]図７は、図４の部分７−７から取られており、開位置にある図６の尿排出ハッチ組立体１０８を示す。水密の変形可能な封止材料１２４は、もう圧縮封止部１２６に押圧されていないので、もうへこんでいないことが理解され得る。また、この実施形態では、尿排出ハンドル１３２に取り付けられる保持組立体が存在する。示されることになるように、この排出ハッチ保持器１１２ａおよび１１２ｂは、種々のデザインで実現され得る。この実施形態において排出ハッチを上に開かせるアイデアは、排尿するために最大限ペニスに手が届きやすくし、かつ重力をうまく利用することであり、その結果、蓋部１１０または任意のその構成要素に尿をはねかけることがない。
【００４４】
[0129]図７Ａは、図７から取られた部分７Ａ−７Ａの同様の構造体の拡大図であり、ここで、ばね１０７を示す。ばね１０７は、蓋部１１０を付勢して、蓋部１１０が開いたままであり、倒れて基部１０５を閉じることがないようにする。これは、蓋部１１０が、望まずして基部１０５を閉じるのを防止する。
【００４５】
[0130]図７Ｂは、図７から取られた部分７Ｂ−７Ｂの同様の構造体の拡大図であり、ここで、開位置にあるカム機構１０９、１１１を示す。カム１０９は、突起部１１１と干渉する隆起部を有する。このようにして、蓋部１１０が開いているとき、蓋部１１０は開位置に保持される。図７Ｃは、図７から取られた部分７Ｃ−７Ｃの同様の構造体の拡大図であり、ここで、閉位置にあるカム機構１０９、１１１を示す。ここでは、カム１０９の隆起部は突起部１１１を通り過ぎており、もう開いた状態で保持されていない。カム１０９および突起部１１１は、異なる場所および異なる姿勢で配置されてもよいことが理解されよう。この例は、蓋部１１０が望まずして基部１０５を閉じないように蓋部１１０を開位置に保つために、多種多様な摩擦ジョイントが使用されてもよいことを単に示すものである。
【００４６】
[0131]図８は、図６の部分８−８から取られた拡大図である。尿排出蓋部１１０の一部、および可撓性封止部１２４が示されている。可撓性封止保持器は、構造体１３４ａと構造体１３４ｂの間に挟まれたものである。封止部１２４は、排出蓋部１１０が上下に動かされる間、確実にまたはぴったりと保持されるように圧入される。圧縮封止部組立体１２６も示されている。閉位置では、変形可能な、または圧縮性の封止部１２４は、水密封止部を形成するために、圧縮封止部１２６に対して安定して当接する。
【００４７】
[0132]図９は、図８と非常に類似しており、開くように動かされている過程の尿排出蓋部１１０を単純に示す。封止材料１２４は、この時点ではもうへこんでいない、または圧縮されていないことが理解され得る。
【００４８】
[0133]図１０は、図７の部分１０−１０から取られている。これは保持器機構であり、その結果、蓋部が上方位置にあるとき、排尿行為が行われる間、蓋部は支持される。図１０の場合、これは互いに逆の極性の磁石であることになり、その結果、蓋部は磁力で定位置に保持される。
【００４９】
[0134]図１１は、図７の部分１１−１１から取られており、雄スナップ組立体および雌スナップ組立体を示す。雌スナップ１１２ａは、ハンドル１３２に取り付けられ、示されているように、雄スナップ部１１２ｂを覆うように押圧される。これら２つを互いにしっかりと保持するための保持器クリップばねが存在する。スナップを外すためには、それがポンと取れるように、単にそれを引っ張る。スナップの雄部および雌部は、いずれの側に使用されてもよい。
【００５０】
[0135]図１２は、図７の部分１２−１２から取られており、図１０と非常に類似している。面ファスナ方式のアタッチメントが示されており、これは当業界ではＶｅｌｃｒｏ（登録商標）としても知られている。好ましい一実施形態では、面ファスナアタッチメントシステムのうち、ウェーダ１００に取り付けられる部分の方が、直径またはサイズが大きいことになる。これにより、材料が伸びる、またはしわになるとき、寸法位置合せ不良が起きてもよいことになる。
【００５１】
[0136]図１３は、尿排出ハッチ組立体１０８がより三角形の形状を有し、異なるタイプの容器および留め具の機構も有することを除き、図３と非常に類似している。強度のために、好ましい一実施形態では、幅全体にわたる蝶番１１６が示されている。圧縮係止部１３６を使用して、蓋部１１０がＯリング封止部１４０（ガスケット、封止材、圧縮性ワッシャ）に対して圧縮される。Ｏリング封止部１４０は、図１４においてよりよく示される溝１４１に嵌め込まれる。図１４は、開位置にある図１３の尿排出ハッチ１０８を示す。圧縮係止部１３６および圧縮係止部保持器１３８が確認され得る。圧縮係止部は、押し下げられるとき、蓋部１１０の縁部を、Ｏリング１４０に対してしっかりと圧縮し、そのラチェットがＯリング１４０を封止し、水密にする。排尿のための便利なアクセスを実現するために種々の代替の寸法が使用されてもよいことは、当業者には明らかであろう。図１０、図１１および図１２で先に示された任意の保持装置が、図１３および図１４において示される機構に適合されてもよいことも、当業者には明らかであろう。
【００５２】
[0137]図１５は、図１３の部分１５−１５から取られた断面図である。これは閉位置にある蓋部１１０を示し、圧縮係止部１３６は定位置に安定して係止され、軸荷重方向と横荷重方向の両方においてＯリング１４０を圧縮している。これにより、非常に密な水密封止部が形成される。部分１４２は、Ｏリング用の、非常に剛性の着座組立体であり、これもＯリングを安定して定位置に保持する。このようにＯリング１４０が圧縮されている間、Ｏリング１４０がどのように嵌められているかを可視化することは、非常に困難である。１つは、図１４の部分１６−１６から取られた図１６で参照される。これは開位置にある尿排出蓋部１１０を示す。尿排出蓋部１１０が開位置にある場合、ここで、その非圧縮状態にあるＯリング１４０が、はっきりと確認され得る。Ｏリングが安定して収められる、小さい溝またはスロット１４４が存在することも確認され得る。Ｏリングを交換するためには、Ｏリングの直径を伸ばすことによってＯリングを拡張し、次いでこのスロットにＯリングを滑り込ませ、このスロットでは、Ｏリングは、抜けることができない定位置でしっかりと留まる。代替策（図示せず）は、いくらかのシリコーングリスをＯリング全体に沿って塗布することであり、これはＯリングが水密封止部を形成することに役立つ。
【００５３】
[0138]図１７は、図１５の部分１７−１７から取られており、その保持器１３８に対して安定して嵌められる圧縮係止部１３６の拡大図を示す。これは、示されているようにしっかりとＯリング１４０（ガスケット、封止材、および圧縮性ワッシャ）を圧縮し、水密封止部を形成する。
【００５４】
[0139]図１８は、この場合、蓋部１１０が嵌められるときにＯリングが垂直に圧縮された状態であることを除き、図１７と非常に類似している。つまり、蓋部１１０の縁部は、Ｏリングをまっすぐ下に押圧し、これによりＯリングの形状が円からより楕円に変化する。やはり、これは密な水密封止部を形成する。戻って図１５、図１６、図１７および図１８を参照すると、ウェーダまたは雨天用ギア材料と排尿用保持装置１０８に形成される溝との間に、ジョイント１４６が存在することも理解され得る。材料１００は、圧縮により、糊または接合剤により、熱硬化性接着剤などにより、この溝１４６にしっかりと保持される。
【００５５】
[0140]図１９は、この場合、蝶番１１６が下方に向かって見えるように反転されていることを除き、図２、図１３および図１４と非常に類似している。この場合、図１０、図１１および図１２で先に示されたような任意のタイプの保持装置は必要ない。この場合、排尿プロセスが行われる間、蓋部１１０は垂れ下がり、単に重力によって定位置に保持される。図１９に示されるこの組立体の一利点は、その単純さおよびコストの減少である。蓋部を上方位置に保持するための保持装置を提供する必要がないことにより、コストは減少する。これは、肌着を通した、より広々したアクセスを可能にするので、図１９に示される構造体にとってのいくつかの幾何学上の利点も存在する。
【００５６】
[0141]図２０は、異なるタイプのＯリング圧縮組立体（ガスケット、封止材、圧縮性ワッシャ）を示し、図１５から図１８で先に説明されたものと類似している。図２０の場合、ハンドル機構１３２を引き上げながら、同時に係止機構１１４を単に下に押す。これにより、蓋部１１０をその開位置１１０’に動かすことができる。理解され得るように、この構成では、Ｏリング１４０は、直接圧縮される。図２０の代替策が図２１に示されており、これはＯリングが横方向と軸方向の両方で圧縮されることを除き、非常に類似している。
【００５７】
[0142]図２２は、蝶番を中心として枢動する、さらに別のタイプの係止部保持器機構１４８である。親指を位置１１４にあてがうことにより、蓋部１１０がその開位置１１０’に動かされ得るようにこの係止部を回転させるのは容易であることが理解され得る。
【００５８】
[0143]図２３は、図２、図１９およびその任意の代替策において先に示されたウェーダ排出機構１０８の代替図である。この場合、尿排出機構１０８を覆うが、衣服にとってのより良い美観を保つフラップ１５０が存在する。フラップ１５０は、ウェーダ自体と同じ材料でもよい。フラップ１５０は、面ファスナタイプの閉止具によって垂れ下げられてもよい。
【００５９】
[0144]図２４は、本発明１０８を下に示す破線のない、フラップ１５０を示す図２３と同じである。図２４を見ることにより、これがより良い美的外観を実現することが理解され得る。
【００６０】
[0145]本発明の尿排出ハッチ組立体１０８のマーケティングにはいくつかの可能性が存在する。１つは、ウェーダおよび雨天用衣服の元々の製造中に、単に尿排出ハッチを組み付けることであろう。自動化されたサーマルボンドまたは糊付け／接着工程を用いて、尿排出機構１０８の一部であるフランジ１３０にウェーダ材料１００を接合することができるように、適合性のある材料が使用されることになる。しかし、非常に重要な２次的市場が存在する。非常に高価なウェーダを既に所有しており、そのウェーダを改造して尿排出機構１０８を付け加えたい人々は多い。
【００６１】
[0146]図２５は、２次的市場用組立体として販売され得るキットを示す。キットは、説明書に付属することになるテンプレート１５２と共に本発明の尿排出ハッチ１０８を含むことになり、好ましい一実施形態では、これが衣服に配置され得るように、粘着性の接着剤１５８を含むことになる。次に、テンプレート１５２を使用してパーマネントインクで線を引いてもよく、テンプレート１５２をカッティングテンプレートとして使用して、鋭いナイフ１５４またははさみを利用し、ウェーダ衣服１００に適当な開口を切り取ってもよい。切取られることになる場所の内側かつ後ろに配置され得る便利なカッティングボード１５６が、任意選択で提供されてもよい。表側と裏側を両方とも同時に切取ることは、ウェーダを使えなくすることになるので、この裏当てボード１５６は非常に重要である。
【００６２】
[0147]図２６は、裏当てボードまたはカッティングボード１５６を、ウェーダの内側の適当な位置、かつテンプレート１５２のおおよそ中央に配置することを示す。使用されてもよい複数の糊、接着剤またさらにはエポキシ１５８も示されている。説明書と共にキットに提供される種々の結合剤１５８が存在することになり、その結果、使用者が有しているのがどのタイプのウェーダで、ウェーダが何のタイプの材料でできており、したがってウェーダが何の種類のシーラントと適合性があることになるのかを、使用者が適切に特定することができる。
【００６３】
[0148]図２７は、ウェーダ１００の前部に１次開口を作るための、テンプレート１５２および切取りツール１５４の使用法を示す。
[0149]図２８は、尿排出組立体１０８が定位置に嵌め込まれる、開口１６０を示す。理解され得るように、まず適当な接着剤材料１５８が塗布され、次いで尿排出ハッチが穴１６０に配置される。これは、示されているように内側から行われても、外側から（図示せず）行われてもよい。
【００６４】
[0150]図２９は、図２５と非常に類似したキットであり、まったく同じように使用される。圧縮性ゴムまたはネオプレンなどの２つのガスケット１６２および１６４が提供される。図２５で先に説明されたように、適当な接着剤１５８と共に、カッティングテンプレート１５２および裏当てボード１５６も存在する。接着剤の代わりに、ポップリベットツール１６６が、適当な数のポップリベット１６８と共に提供されてもよく、その結果、２つのガスケット１６２と１６４の間にウェーダ材料１００（図示せず）を文字通り挟み、次いですべてをポップリベットで定位置に留めることができる。ポップリベットは、可撓性である２つのガスケット１６２と１６４を圧縮することによって締め付けられるとき、互いにしっかりと押圧することができる。これは、排尿用保持装置１０８の周囲全体に水密封止部を形成する。ねじや小さいボルトヘッドなどの、任意の他のタイプの留め具が使用されてもよいことは、当業者にとって明らかであろう。
【００６５】
[0151]図３０は、図２９で先に説明されたテンプレート１５２および裏当てプレート１５６の使用法を示す拡大図である。
[0152]図３１に示されるように、組立体の種々の構成要素が並べられている。接着剤、シーラントまたは糊１５８は、構成要素を着座させる前に任意選択で塗布される。ポップリベットガン１６６が使用されて、それぞれの穴を通してポップリベット１６８を配置する。図３２に示されるように、完成した組立体は、本発明の水密尿排出ハッチを形成する。裏当てプレート１７０は、ポップリベットを位置決めするために提供される。裏当てプレート１７０が剛性の材料でできており、かつガスケット１６２とガスケット１６４が、水が入ってこられないように均一に圧縮されるのに十分な近さで、ポップリベットの穴またはねじ穴が配置されることが重要である。
【００６６】
[0153]図３３は、図３２の部分３３−３３から取られた断面図である。２つのガスケット１６２および１６４と共に、またウェーダ材料１００の排尿用保持装置のフランジの横断面図と共に、ポップリベット１６８が示される。好ましい一実施形態では、信頼性が高い封止部を形成するために、１つだけのガスケット１６２または１６４が必要とされる。図３３は、リベット１６８ａの雄端部が、排尿用保持ブロック１７２のフランジを通り、封止ガスケット１６２を通り、ウェーダ材料１００の事前に開けられた穴を通り、保持フランジ１７０の穴に揃えられた２次ガスケット１６４を通って挿入されることを示す。
【００６７】
[0154]図３４は、図３３と非常に類似しており、その圧縮状態にあるリベットを示す。理解され得るように、ガスケット１６２とガスケット１６４は、ウェーダ材料または雨天用ギア材料１００に対してしっかりと圧縮されている。任意選択の実施形態では、接着剤１５８が各ポップリベットの両端部に付けられて、ポップリベットが水を漏らさないことを確実にすることができる。
【００６８】
[0155]図３５は、ピン１７４と係合するようになされている、先細りになる係合スロット１７６を有するツイストキャップ蓋部１１０を備える、本発明の代替形態である。キャップがねじられるとき、キャップはガスケット座面１２６に対して圧縮される。ツイストハウジング１１０の内側に、ガスケットが存在する（図示せず）。ツイストキャップ１１０が締められるとき、ガスケット（図示せず）は、水密封止に作用するために、ガスケット座面１２６に対して圧縮される。キャップ１１０がなくなるのを防止する、任意の適した材料からできていてもよい任意選択のつなぎ紐１７８が存在する。追加的に、つなぎ紐１７８は、ウェーダの側部に取り付けられてもよく、その結果、蓋部１１０が開けられるとき、排尿中、蓋部１１０が邪魔にならないことになる。別法として、つなぎ紐１７８は弾性の材料で作られてもよく、その結果、蓋部１１０は、開かれるとき、アパーチャからさらに離れたところに引き込まれる。図３５を再び参照すると、この設計は、使用するのが非常に手っ取り早く、簡単であるという点において、複数の利点を提供するということが理解され得る。ピン１７４を係合させ、ガスケット構造体を適切に着座させるために必要とされるのは、キャップ蓋部１１０をわずかに回転させることだけである。
【００６９】
[0156]図３６は、別のタイプの丸キャップ１１０であるが、この場合、丸キャップ１１０は、Ｏリング座面１２６の雄ねじ１８２と係合するようになされている雌ねじ１８０を有する。キャップ１１０が堅くねじ込まれるとき、Ｏリング１２４（ガスケット、封止材、圧縮性ワッシャ）は、水密封止に作用するＯリング座面１２６に対して圧縮される。図３５で先に述べられたのと同じ目的で示される、任意選択のつなぎ紐１７８がやはり存在する。つなぎ紐１７８は、キャップ１１０の中心に回転可能に取り付けられ、その結果、キャップ１１０が定位置にねじ込まれるとき、つなぎ紐１７８がもつれることがない。
【００７０】
[0157]図３７は、図２と非常に類似しており、先に述べられた尿排出ハッチ１０８を示す。この場合、これは水中で機能できるウェーダではなく、悪天候用ギアまたは雨天用ズボン１００’であり、ハイトップブーツ１０３を覆うようになされている。より丈の低いブーツが使用されてもよいが、好ましい一実施形態ではハイトップブーツ１０３が使用され、その結果、ことによると強い風でデッキ中に波がはねている、極端に湿った環境において、着用者は、ブーツ上部から水が入り、着用者の靴下に入り込むのを防ぐことになる。ブーツ１０３には、種々のサイズおよび形状、ならびにソールのタイプがある。アラスカの海域で使用される一般的なブーツは、Ｂｏｇｓ  Ｃｏｍｐａｎｙ（登録商標）によって製造されるＢｏｇｓ  Ｂｏｏｔである。アラスカで一般に使用される他のブーツは、Ｂａｘｔｅｒ  Ｃｏｍｐａｎｙ（登録商標）によって製造されるＴｕｆｆｙ  Ｂｏｏｔとして知られている。別のブーツは、ＴｈｅＴＵＦまたはＸＴＲＡＴＵＦ（登録商標）ブーツとして知られている。ブーツスタイルのこれらのあらゆるタイプは、職漁師によって広く使用されている。図３７では、多くのサバイバルスーツおよび船乗りの航海スーツが、ブーツ１０３を覆う、同様のズボンを有する。これらには、Ｈｅｌｌｙ  Ｈａｎｓｅｎ（登録商標）、Ｍｕｓｔｏ（登録商標）、Ｈｅｎｒｉ（登録商標）、Ｌｌｏｙｄ（登録商標）、Ｗｅｓｔ  Ｍａｒｉｎｅ（登録商標）、Ｇｒｕｎｄｅｎｓ（登録商標）およびＧｉｌｌ（登録商標）によって製造されるスーツが含まれる。図３７では、防水性ズボンは、ベルト１０２の上の、ウエスト区域のずっと上まで届き、サスペンダ１０４を含むことが理解され得る。
【００７１】
[0158]図３８は、この場合、ズボン１００”が、通常はベルト１０２を有するウエストで終端し、サスペンダ１０４を含むことができることを除き、図３７と非常に類似している。この場合、ジャケット（図示せず）は、雨が、ウエストに入り込んで肌着を湿らせるのではなく、流れ落ちることになるように、ウエストのずっと下まで届くことになる。図３７と図３８の両方において、ブーツ１０３は、ズボン１００’または１００”に、いかなる様式でも取り付けられ、封止され、溶着されていないことは重要である。言い換えれば、耐水性は、ブーツ１０３を覆うようにズボンが重なることによって実現される。図３７および図３８に示される、ブーツにズボンが重なる構成には、ブーツを覆うようにズボンを着脱しやすくする脚部ジッパ、またはズボンの下部がブーツの周りに堅く引き付けられることを可能にするＶｅｌｃｒｏ閉止ストラップがしばしば付属する。たとえば、船のデッキにいる場合、波がはねてズボンの中に入り込み、ブーツの上から入らないように、海の波が通り抜けるので、これは重要である。この種類の閉止機能は、ハイキング中、たとえば一時的に水たまりまたはぬかるんだ穴に踏み込んだ場合にも役に立つ。
【００７２】
[0159]図３９および図４０は、この場合、ズボン１００’または１００”に付けられ、封止され得る着脱可能ブーティ１０６’およびブーティ１０６”が存在することを除き、図３７および図３８と非常に類似している。この場合、ブーティがズボンと接合された後、次いで、ウェーディングブーツ（図示せず）としても知られているオーバーブーツを履くことになる。通常は、これらのブーツは紐で締められるか、またはＶｅｌｃｒｏによって閉じられ、好ましい一実施形態では、ブーティ１０６’／１０６”は、ネオプレンなどの絶縁材料からできているはずである。しかし、１０６’／１０６”の材料は、ゴム、Ｇｏｒｔｅｘ（登録商標）などの透湿性の布を含む、任意の防水性の材料でもよいことが理解されよう。ブーティ１０６’またはブーティ１０６”は、ブーツがズボン１００’およびズボン１００”に一体化され、封止され得るように、ヒールおよびソール、ならびに種々のタイプのトレッドを含んでもよいことも理解されよう。
【００７３】
[0160]図４１および図４２は、この場合、ブーツ１０３が位置１１３で封止されており、チェストウェーダ１００’またはズボン１００”と一体の部分になることを除き、図３７および図３８と非常に類似している。ブーツ１０３は、多種多様な材料でできていてもよく、多種多様な様々なソールタイプを有してもよい。通常は、ブーツ１０３は、ウェーダあるいは胸当て１００’またはズボン１００”の材料に、位置１１３でシームシール、糊付け、結合または溶着される。フルチェストの高さのズボンまたはウェーダに関して先に示されたように、図３８、図４０および図４２で説明されたズボン１００”は、サスペンダ１０４とも一体化されてもよいことが理解されよう。
【００７４】
[0161]先に説明されたように、発明者は、アラスカのインサイドパッセージ全域にわたり、船に乗り、悪天候用ギアを着用し、川でウェーディングする広範な経験を有する。図３７から図４２で示された極めて重要な安全ギアの１つは、ベルト１０２である。川でウェーディングをしていて滑って落ちた場合、チェスト全体の高さのウェーダまたはズボンは、非常に危険な重量である数百ポンドの重みでその人にのしかかる水により、即座にいっぱいになることになる。ベルト１０２は、水がウェーダを満たし、このような危険な状態を作り出すことを防止する。
【００７５】
[0162]図４３は、尿排出ハッチ１０８が、複数の重要な新しい機能を加えるように大幅に再設計されていること以外は、図２と非常に類似している。２０１５年の夏、発明者は再び、アラスカのインサイドパッセージで数週間、船に乗り、川で釣りをして過ごした。この初期の製品試験の経験からいくつかの事柄が分かり、つまり、図２およびその他の前の図すべてにおいて示された元々の設計物は、便利な排尿のための十分なアクセスを実現しないということである。発明者は、ウェーダまたは雨天用スーツ１００の下に複数の肌着を試した。これらの肌着には、リーバイスおよび種々のスウェット、サーマルパンツなどが含まれる。一般に、発明者は、股部へアクセスできる覆い（ｃｒｏｔｃｈ  ａｃｃｅｓｓ  ｏｖｅｒｌａｙ）を有するフリース肌着を着用することが、最も簡単なアクセスに役立つことを見いだした。しかし、たとえばウェーダが取り外された場合、公共の場所で、たとえばその後買い物に出かけることができるなど、リーバイス、カーキ、または適した肌着を身につけることが望まれる他の多くの状況も存在する。したがって、実際の経験および試験を通して、発明者は、下にあるベルトによりうまくアクセスできる完全に再設計された尿排出ハッチ２００が重要であり、または下にあるボタンおよびジッパ、またさらには引き紐によりうまくアクセスできることが所望されていると結論づけた。たとえば、多数の様々なウェーディングの機会において、発明者は、引き紐を有するスウェットズボンを着用し、これらは鼠径部へのアクセスフラップを有していなかった。したがって、引き紐をほどき、スウェット（絶縁の衣服）を下げて、陰部に手を届かせることが必要であった。再設計された排尿用アクセスハッチ２００は、後に続く図面において、より詳細に説明されることになる。
【００７６】
[0163]２０１５年の夏にアラスカで、発明者は、滞在した港において、複数の職漁師と話しもした。港に入るとき、ＶＨＦラジオで港長と話をし、次いで港長が船を停泊位置（ｓｌｉｐ）に割り当てることは非常に一般的である。したがって、何度も、発明者は商業用の漁船のすぐ隣につながれて、彼らの作業、および乗組員がどのようにデッキで働くかを観察することができた。発明者は、荷を下ろし、再び積み込み、ネットを結び直し、カニ籠を積み重ねて取り扱うところなどを観察した。発明者は、尿排出ハッチは、本明細書で説明されるすべての理由で非常に便利であるだけではなく、適切に設計されれば、非常に重要な股部または鼠径部保護機能も提供することができることを認識するに至った。したがって、再設計された尿排出ハッチ２００は、睾丸とペニス両方の保護を実現するようにもなされている。
【００７７】
[0164]発明者が観察したあらゆるタイプの漁船には、カニ漁船からトロール船、刺網漁船（ｎｅｔｔｅｒ）、商業用のトロール船まですべて、多くの機器および多くの可動部を有する非常に危険なデッキがある。発明者は、単に穏やかな港で横につながれているだけで、これらの環境がいかに危険かということに愕然とした。その重量のあるあらゆる機器を海上の、揺れる船上で、または嵐の中で扱うことは、危険度をさらに増す。これにより、発明者は、オンラインでのいくつかの医学的調査を実施し、いくつかの興味深い事実を見いだした。男性は皆、睾丸をわずかに打つことですら実に痛いことを知っているが、発明者は、いくつかの調査を実施するまで、睾丸を強打することは、痛みで人の意識を完全に失わせる場合があり、睾丸への傷害によって生じる循環上の問題から死亡することさえ考えられるということを、完全に理解していなかった。さらに、発明者は、時が経つにつれて必ず自己回復することになる骨や肝臓などの体内のいくつかの器官とは異なり、睾丸は、一度損傷すると、完全にそれ自体を回復させることができないということを知った。睾丸はずっと弱く、小さい傷ですら、片方または両方の睾丸を失うことを含む一生の問題になる可能性がある。したがって、我々は、尿排出ハッチは、排尿の際に便利な良いアイデアであるだけでなく、特に商業上の環境において、股部を保護するために不可欠なものでもあるということを認識するに至った。発明者による開発を通して、尿排出ハッチ２００によって提供される股保護部は、睾丸の保護を実現するために、適切に配置されなければならないことが分かった。雨天用ギアおよび釣り用ウェーダは、しばしばゆるくフィットする。したがって、股部保護具を、腹にフィットして自然に位置が決まるように、独自の形状およびサイズにすることが、非常に重要になる。前の実施形態の議論と同じように、尿排出−股部保護具２００は、使用者が完全に脱衣する、または作業区域を離れる必要なしに、迅速かつ効率的に排尿して、かなりの時間を節約する。たとえば、船のデッキで働く使用者は、海に直接簡単に排尿し、それによって、手洗いを使用するためにデッキの下に降りるのに通常必要とされる、かなりのダウンタイムを節約することができる。
【００７８】
[0165]図４４は、図４３で先に示された尿排出−股部保護具２００の拡大図である。これは拡大された平坦な区域２０２を有し、平坦な区域２０２は、腹部のすぐ下の区域に自然に合うことになるのが理解され得る。蝶番２１２ａおよび蝶番２１２ｂの上部は、通常はベルトの線、ボタンの線、バックルの線の上（またスウェットズボンなどの場合は、引き紐の線の上）にくることになる。尿排出ハッチは、サイズが著しく拡大されているだけでなく、カップ形状部２１６を含めて、その形状が非常に重要である。カップ形状部２１６は、複数の目的にかなっており、それはつまり、性器を覆うように快適にフィットするのに十分な空間を提供し、かつ様々なタイプの肌着からペニスに手を届かせるのに十分な空間も提供することである。破線２１７は、通常のカップが一般にどこで止まることになるかを示す。湾曲したドーム構造体２１６は、望ましくは、より平坦な形と比べて頑丈であり、衝撃からの保護も高めながら、さらにＯリング、封止材、またはガスケットを適切に封止することに役立つ。
【００７９】
[0166]見て取れるように、蝶番付きのカバー２０２および枠部（すなわち基部、枠部基部）２０４が存在する。図４４を再び参照すると、係止部２０６が存在するのを見て取ることができ、これは、図４５でよりよく見て取れるＯリング２１４または他の適した水密封止部に対して、蓋部２０２を圧縮する。先に説明されたこれまでのあらゆる係止部が、ここに組み込まれてもよいことが理解されよう。
【００８０】
[0167]図４５は、図４４で参照されるカバー２０２のない枠部２０４を示し、この場合、蝶番付きの蓋部２０２および一体化されたカップ形状部２１６は、単に枠部の部分が観察され得るように取り外されている。蝶番２１２ｂである対合用半部が示されており、またアパーチャ（換言すれば、開口部）２１８が存在することが理解され得る。Ｏリング２１４のための座面が存在することも理解され得る。可撓性の係止部組立体が、２０６として示される。この実施形態では、係止部２０６は、使用されるプラスチック材料に固有の可撓性により、単純であってもよい。アパーチャ２１８は、上部ではずっと広幅であり、そして徐々に狭くなることが重要である。これは、ベルトを開くこと、または引き紐をほどくこと、または１着のフリース肌着のカバースロットにアクセスすることを容易にする。枠部２０４の形状は、枠部２０４が脚の周りおよび睾丸の下の皮膚に着座することになるように解剖学的に設計されており、その結果、強い衝撃を、図４４で先に示された湾曲部またはカップ部２１６のどこででも受けることができる。
【００８１】
[0168]図４６は、尿排出ハッチ−股部保護装置２００の側面図である。先に説明されたカップ形状部２１６は、この図の方が、より容易に観察され得る。これは一般に、野球、フットボール、および他のコンタクトスポーツで使用される競技用保護カップと同じ形状をとる。本発明では、カップ区域２１６は補強されており、また通常の競技用カップより大きくされている。この理由の１つは、外洋で、船の濡れたデッキを横切ってカニ籠を滑らせることは、コンタクトスポーツと比較して非常に大きい衝撃力を生み出す場合があるということである。したがって、いくつかの実施形態では、非常に強度の高いプラスチック、さらには繊維または他の材料で強化されたプラスチックが使用される。当業者は、金属、複合材料、ポリマー、ガラス繊維または任意の他の適した材料で、カップ区域２１６または他の部品を作ってもよい。
【００８２】
[0169]図４６を再び参照すると、発泡体材料２１０が存在することが理解され得る。これは、通常は独立気泡発泡体であることになる。発泡体は、衝撃を吸収することに役立ち、強い衝撃によって皮膚に打撲を受けるのを防止する。発泡体２１０は、これが１日中着用されるとき、快適性にも寄与する。発泡体２１０は、ＥＶＡフォームなどの、応力を吸収する任意の他の柔軟な材料から形成されてもよい。
【００８３】
[0170]図４７は、図４６から取られており、種々の部品が分解されている。尿排出ハッチカップ構造体２１６は、蝶番２１２ａおよび蝶番２１２ｂで離されて、左側に示される。蝶番ピン２０３は取り外されている。この場合、枠部構造は２つの部品で示されており、すなわち前枠部２０４および枠部裏当て２０８である。これは、前枠部２０４および枠部裏当て２０８がウェーダまたは悪天候用ギアズボン１００の周りで挟まれ、それによって、ウェーダまたは悪天候用ギアズボン１００が、その間で圧縮されるようにするためのものである。この場合、枠部２０８は、裏当てプレートの機能をなす。
【００８４】
[0171]裏当てプレート２０８を枠部２０４に接合するのに使用され得る、示されているようなねじおよびロックナット、先に説明されたリベット、またさらには接着剤１５８を含めた種々の留め具２１９が存在する。特定の一実施形態では、枠部は、裏当てプレート２０８が全く必要ない、１つの部品である。この場合、ウェーダまたは悪天候用スーツ材料は、糊付け、接着剤、または溶着工程を通じて、枠部に直接結合されることになる。
【００８５】
[0172]ここで理解され得るように、本発明の前の図面で説明された尿排出ハッチは、一般に、改良型の尿排出ハッチ−股部保護組合せ装置２００より、断面積が比較的小さい。図４８は、カップ区域と概ね合致するアパーチャ２１８を示し、断面積は１２９．０３平方センチメートル（２０平方インチ）である。本発明では、ペニスに容易に手を届かせ、かつ前方の衝撃からペニスおよび睾丸を保護する十分な有効範囲も実現できるという目的すべてを達成するためには、これが最小であると考えられる。
【００８６】
[0173]図４９は、別の再設計されたバージョンの開口２１８を示し、これは、アパーチャの開口が２５８．０６平方センチメートル（４０平方インチ）もある。この場合、先に説明されたように、下にある衣服が開かれ得る、または下ろされ得るように、ベルトをほどく、または引き紐を解くのに十分なアクセスがある。
【００８７】
[0174]図５０は、図４８および図４９で示されたサイズの中間である、約１９３．５５平方センチメートル（約３０平方インチ）のサイズの別の実施形態を示す。
[0175]図５１は、図４５と非常に類似しているが、ここで、図５１は、枠部２０４の一部として一体に形成された拡張部２２０ａおよび２２０ｂを含む。拡張部２２０は、図４５の場合のように衝撃が枠部の縁部の周りに集中するのではなく、ここで図５１に示されるように、より大きい表面積に衝撃が分散されるといったように、より大きい表面積を与えて、衝撃を使用者の身体に分散する。これらの拡張部２２０は、枠部２０４の周辺部、および示されていない他の位置に戦略的に配置されてもよいことが、当業者には理解される。
【００８８】
[0176]図５２は、アパーチャ２１８がとる可能性のある形状の、ほんの一実施形態の寸法を示す。この実施形態では、上部の幅は約１７．２７センチメートル（約６．８インチ）である。次いで、側部が約４．５７センチメートル（約１．８インチ）下がる。側部は、幅約１０．６７センチメートル（約４．２インチ）、高さ約１７．７８センチメートル（約７インチ）の湾曲した形状に移行する。したがって、アパーチャの高さ全体は、約２２．３５センチメートル（約８．８インチ）である。本明細書で説明されるこの実施形態は、当初開示された前のバージョンと比較して、アパーチャ２１８がどのように改良されているかを示す。理解され得るように、中心線２２２が、上部または下部のいずれからも約１１．１８センチメートル（約４．４インチ）のところで引かれることになる場合、アパーチャの上半分は、アパーチャの下半分と比較して大きい面積を有する。構造および形状は、より小柄な、かつ／またはより若い使用者にフィットするようにサイズダウンされてもよいことが、当業者には理解されよう。
【００８９】
[0177]再設計された尿排出ハッチ−股部保護装置２００は、経験を通して、女性の身体に対応するようにもなされている。図５３は、一例として、ＧｏＧｉｒｌ（商標）と称される排尿用装置２２４を示す。１つは、ＧｏＧｉｒｌ（商標）がどのようなものかを確認するために、そのウェブサイトｇｏ−ｇｉｒｌ．ｃｏｍで参照される。理解され得るように、これは、女性がたとえばジッパを通して排尿することができるように、女性の身体に当てて配置される、柔らかいゴムの構造体である。図４３以降で説明された、再設計され、拡大されたハッチは、装置２２４または同等の装置に特に対応し、それを受けるようにもなされている。
【００９０】
[0178]発明者は、図７Ｄおよび図７Ｅにおいて表される、蝶番設計の新しい実施形態も示す。図７Ｄは、基部１０５の上で枢動する蓋部１１０を示す。図７Ｄにおいて、摺動子１２３は、蓋部１１０の中で動く。ばね１２１は、摺動子を基部１０５と当接させる。蓋部１１０が基部１０５を中心に枢動するとき、摺動子１２３は、平坦部１２６ａと当接し、次いで隅部１２５と当接し、隅部１２５から離され、次いで第２の平坦部１２６ｂと当接する。このように、摺動子１２３が基部１０５の平坦な面１２６と当接するとき、蓋部１１０は開いたままにされる。
【００９１】
[0179]図７Ｅは、図７Ｄで示されたものと同様の別の実施形態であり、ここで、ばね１２１は、基部１０５と蓋部１１０を互いに近づけるように引く。話を簡単にするために、ばね１２１は概略的に示されている。この状況では、摺動子１２３は蓋部１１０に一体化されており、摺動子１２３は、基部１０５を中心に枢動するとき、ばね１２１によって隅部１２５から離されている間は、平坦部１２６ａおよび平坦部１２６ｂと係合する。このようにして、蓋部１１０が開位置にあるとき、摺動子１２３が基部１０５の平坦な面１２６に当たっているときは、蓋部１１０はそのままでいることになる。
【００９２】
[0180]一般に、本発明は、淡水と塩水両方での釣り用ウェーダ環境用途、ならびにあらゆる種類の悪天候用ギア用途がある。特定の実施形態では、これには、商業的な釣りおよび長距離クルーザを含めた、海での用途向けの悪天候用ギアが含まれる。したがって、材料はすべて、塩水または高濃度塩水噴霧環境（ｈｉｇｈ  ｓａｌｔ  ｓｐｒａｙ  ｅｎｖｉｒｏｎｍｅｎｔ）で腐食しないようなものでなければならない。図７Ｄおよび図７Ｅを再び参照すると、プラスチックの構造体１０５および１１０は、本質的に腐食しない。摺動子機構１２３も、同様にプラスチックでできていてもよく、チタンやステンレス鋼の種々の合金などの、適した耐食性のある金属でできていてもよい。ばね１２１は、タイプ３０２のステンレス鋼でできていてもよく、また合金３１６も、海の環境においてうまく機能することになる。
【００９３】
[0181]戻って図７Ａを参照すると、ばね１０７（ステンレス鋼など）が自動的にハッチを上げ、開いたままにするので、これは商業化に関して見込みのある実施形態であると考えられるはずである。これは、警報装置としても機能するはずであり、何らかの理由で係止部が外れた、またはゆるんだ場合、ハッチが上がったことにすぐに気付くことになる。アラスカの川縁に沿って藪および茂みの中を進む実際の経験から、川の中に戻るまでに、係止部がどのように衝突され得るかが、容易に想定され得る。したがって、図７Ａのばねシステムまたは同様の実施形態は、生産の有力な候補である。
【００９４】
[0182]図５４は、図４４の部分５４−５４で全体を取られた断面図である。ウェーダまたは釣り用衣服材料１００と尿排出ハッチ枠部１３０の間に水密のジョイントが作られる図６も特に参照される。図４４を再び参照すると、部分５４−５４の区域では、枠部２０４および蓋部２０２は、比較的細いということが理解され得る。これは、特にハイキング、ウォーキング、または動き回っている間の、快適性およびフィット性のために重要である。これは、尿排出ハッチ枠部２０４をウェーダまたは釣り用ズボン材料１００に対して封止するための課題を提示する。図５４は、ウェーダ／ズボン材料１００と枠部２０４の間に、非常に細く強度のある水密ジョイントを作ることができる方法論を示す。カップ部２１６、およびそれがＯリング２１４に着座する尿排出ハッチ封止位置２０２が示されている。水密性は、枠部要素２０４に嵌められるＯリング（ガスケット、封止材、圧縮性ワッシャ）に対して、尿排出ハッチ２０２をきつく押圧することによって実現される。ここで重要な特徴は、胸壁部２２６ａおよび２２７ａによって提供される蛇行（換言すれば、曲りくねった）経路と、裏当てプレート２０８のその対合用雌特徴部２２６ｂおよび２２７ｂである。裏当てプレート２０８が、枠部２０４に対してしっかりと圧縮されるとき、ウェーダ−ズボン材料１００は、この蛇行経路区域の間に挟まれ、定位置に強固に保持される。一実施形態では、ウェーダ／ズボン材料をこれらの胸壁部面２２６／２２７の間で圧縮するのと共に、接着剤またはボンディング材料１５８が使用される。２つの胸壁部２２６と２２７が示されているが、任意の数の胸壁部（１、２、３、または．．．ｎ）が使用されてもよいことが、当業者には理解されよう。言い換えれば、図５４に示されている構造は、特に尿排出ハッチのかなり細長い区域において、非常に高いせん断強度および向上した機械的強度をもつように、ウェーダ材料１００の保持部を挟んでつかむ。
【００９５】
[0183]図５５は、可撓性プラスチック／ポリマーのタブ２２８が、枠部２０４と一体の部品になるように相互結合されていることを除き、図４５の枠部と非常に類似している。ウェーダ／ズボン材料１００と枠部１３０との間のジョイントである、図６において先に示された単純な防水性ジョイントと共にこれらのタブ２２８が使用されてもよく、また、図５５の部分５６−５６から取られた図５６を参照すると、タブ２２８の増加した表面積に胸壁部機能を組み込んで、せん断強度、およびウェーダ／ズボン材料１００と枠部２０４との間の結合部の機械的強度全体をさらに改善することができる。
【００９６】
[0184]図５６は、図５５の部分５６−５６で全体を取られた断面図であり、タブ２２８をよりよく示す。タブは、枠部２０４と一体の部分として形成されてもよく、オーバーモールディングステップなどの２次工程で取り付けられてもよい。タブ２２８は、裏当てプレート２０８に配置されてもよい。タブ２２８は、リビングヒンジ（換言すれば、一体成形ヒンジ）として機能する、断面積が小さくされた区域２３０も含んでもよい。小さくされた区域２３０により、タブ２２８の可撓性および動きが増す。
【００９７】
[0185]図５７は、可撓性タブ２２８が、尿排出ハッチの基部枠部２０４の周辺部全体を囲む連続面／可撓性拡張部２３２にされていることを除き、図５５と非常に類似している。
【００９８】
[0186]図５８は、図５７の部分５８−５８から全体を取られた断面図であり、連続面２３２をよりよく示す。この実施形態では、可撓性拡張部２３２とウェーダ材料１００との間の適切な水密結合部にとって十分な表面積が作り出されているので、裏当てプレート２０８はもう必要ない。接着剤１５８が使用されて、水密であり機械的強度もある、このような結合部を作り出す。可撓性拡張部は、枠部２０４と同じ材料でできていてもよく、続いて枠部２０４にオーバーモールドされる、より可撓性で弾力のある材料で作られてもよい。プラスチック成形およびサーマルボンド工程が、接着剤１５８の代替として使用されてもよい。
【００９９】
[0187]図５９は、図４７と類似しており、蓋部２０２が単純な２つ割りの型で作られ得るように、係止部２０６が逆にされてもよいことをここで示す。追加的に、枠部２０４も、２つ割りの型で作られ得る。これらの設計は、本発明の構造を単純にし、より低いコストで本発明を製造することを可能にする。
【０１００】
[0188]図６０は、本発明の別の実施形態の断面図である。蓋部２０２および枠部２０４は、単純な２つ割りの型で作られるようになされている。封止部／ガスケット２１４は、蓋部２０２が２つの周辺位置（換言すれば、周方向位置）で封止部／ガスケット２１４と係合して、封止機構の信頼性を増すように、２重の周辺封止構造を作り出すことができる。ウェーダ１００は、接着剤、布の継ぎ目溶着、ヒートシールまたは機械的クランプおよび留め具などの、先に教示された任意の方法または構造を用いて、接着剤１５８で枠部２０４に結合される。蓋部２０２および枠部２０４それぞれの蝶番ピン区域２０３は、２つ割りの型を簡単にするように各側にスロットを付けられ得るが、なお、蝶番２０３を適切に捕捉するように機能する。最後に、ばね１０７が蝶番２０３の周りに配置されて、使用中、排尿しやすくするために、蓋部２０２を開位置に保つことになる。
【０１０１】
[0189]図６１は、本発明の別の実施形態の断面図である。蓋部２０２は、ここで、湾曲した部分２１６を有する。蓋部２０２は、その周囲の１つの位置でのみ、封止部／ガスケット２１４と係合する。ウェーダ１００は、接着剤１５８で枠部２０４と結合される。図６０と同様に、図６１の蓋部２０２および枠部２０４は、単純な２つ割りの型で製造されてもよい。当業者には理解されるように、本明細書で示され、説明されるすべての実施形態は、垂直に動く摺動子またはプルアウト（ｐｕｌｌ  ｏｕｔ）を使用する必要がない、単純な２つ割りの型から作られるように単純化され得る。これらのコストを下げる特徴により、型の先行投資コストが下げられ、また部品をより少なくして生産コスト全体を下げる。
【０１０２】
[0190]種々のアタッチメント方法に関してより詳細に説明すると、ウェーダ１００は、枠部２０４に布溶着されてもよい。布溶着は、熱および圧力を使用して、布の切れを接合する工程である。ポリ塩化ビニル（ＰＶＣ）、ポリウレタン（ＰＵ）、ポリエチレン布（ＰＥ）およびポリプロピレン（ＰＰ）などの熱可塑性コーティングが、ヒートシールに使用される。一旦取り付けられると、糸、ミシン、シームテープ、または任意の他のこのような材料が必要ないので、布溶着はメンテナンスコストを下げる。
【０１０３】
[0191]基本的には、２つのタイプの布溶着が存在しており、すなわち誘電溶着およびロータリー溶着である。これらは、多くのタイプの溶着にさらに分類され、たいていはそのうちの４つ、すなわち熱風溶着、ホットウェッジ溶着、高周波溶着および超音波溶着などが、専門家によって使用されている。熱風溶着、ホットウェッジ溶着および超音波溶着は、一般にロータリー溶着として分類される。このタイプでは、布は、溶着されている間、機械を通って連続的に動く。高周波溶着機は、スタンピングタイプの機械である。布切れは、溶着されている間、動かず、定位置に保持される。
【０１０４】
[0192]誘電溶着は、２つのタイプの溶着のうち、古い方の溶着である。この方法では、下にある基部プレートによって支持される２つの布切れの上に、ダイが下ろされる。高周波エネルギの、時間の決まった（ｔｉｍｅｄ）パルスが、ダイと基部プレートの間に送られる。ダイと基部プレートの間の布は、熱可塑性コーティングを一時的に溶かすのに十分に加熱される。このコーティングが溶けるのに従って、両方の布切れは互いに接着される。次いで、ダイは持ち上げられ、新しい布切れが定位置に移動し、全工程が再び繰り返される。
【０１０５】
[0193]ロータリー溶着は、布切れが、通常１対の駆動輪によって引っ張られることにより、溶着区域を通って連続的に移動する、連続的な工程である。熱は、布が駆動輪同士の間を通過する直前に、加熱された金属のウェッジまたは熱風のような任意の熱源から送られる。駆動輪では、布を永続的に封止する溶着圧力が加えられる。ロータリー溶着の方が、誘電溶着よりも速い。速度は、製品および継ぎ目の長さに従って増加する。これにより、１分あたり２０フィート（６メートル）まで、さらにはそれより速い溶着速度が実現され得る。しかし、ロータリーヒートシールは、フルスピードおよび可撓性を実現するために、熟練し、よく訓練された操作者を必要とする。これは、衣服、膨らませて使うボート、バッグ、およびトランクのような、３次元の最終製品（平坦にならない製品）を生産することもできる。誘電溶着は平坦な基部プレートを使用するので、誘電溶着は、封止工程中、継ぎ目が必ず平坦になる製品に、その用途を限定する。しかし、現在では、いくつかの特化された誘電溶着機は、３次元のダイ、基部プレート、および真空システムを有して、ダイが当てられる間、布切れを所定の位置に保持するが、これらは非常に高価である。
【０１０６】
[0194]ロータリーウェッジ溶着とロータリー熱風溶着はどちらもロータリー溶着の種類であるが、それらの間にはいくつかの違いがある。熱風溶着は、ホットウェッジ溶着よりも速い溶着工程である。ウェッジ溶着では、圧力をかけて布を互いに封止する駆動輪の間を布が通過する直前に、小さい金属のウェッジを使用して、布に熱を送る。熱風溶着では、金属のウェッジの代わりに、熱風ノズルを使用して熱を送る。
【０１０７】
[0195]継合せ工程がしばらく中断されるとき、ウェッジの熱が蓄積し、継合せるために再び布が入れられるとき、ウェッジが、その開始点自体で布を燃やすことがある。熱風溶着を使用するとき、このような熱の蓄積という問題はない。ウェッジ溶着は、金属を使用して熱を送るので、ほこりや溶けたコーティング片のような、いくつかの、または他のタイプの汚染が熱伝達を妨げることがあり、したがってこれがその非均一性の原因になる。熱風溶着機は、空気を使用して熱を送るので、均一な熱伝達になる。継ぎ目の交差などの布表面の凸凹は、ウェッジが凸凹を通るとき、ウェッジを持ち上げて溶着の質を下げるが、空気は剛性ではなく、表面の凸凹を流れるので、熱風溶着の場合はこうではない。しかし、ウェッジ溶着の方が、消費電力が小さく、熱風溶着機から出る空気流の音と比較すると、比較的ノイズの発生が少ない。
【０１０８】
[0196]これらの違いを分析すると、ウェッジ溶着は、表面が一定で平滑な、より技術的に後進の布から作られる比較的単純な製品を溶着するのに、より適しているように思われる。一方、熱風溶着は、より先進的な設計物および布に使用することができる。
【０１０９】
[0197]当業者には理解され得るように、本明細書で開示される実施形態は、任意の一方法または工程に限定されないので、本開示の全体を通して説明される任意のアタッチメント方法が、ウェーダ１００を枠部２０４に取り付けるのに使用され得る。
【０１１０】
[0198]図６２は、尿排出ハッチ組立体１０８のさらなる発展の斜視図である。理解され得るように、アパーチャ２１８は、下側（下部）に向かって小さくなる。したがって、断面積も、上側に向かってずっと大きくなる。これは、図５２で先に説明されている。係止部１１４、蝶番組立体１１６が示されており、また排尿している間、蓋部１１０、２０２が便利な開位置に保たれるように組み合わせられてもよいばね１０７が示されている。成形可能な封止部１２４、２１４が示されており、これは、閉位置では、基部プレート２０４（枠部、枠部基部）の隆起部２０５に対して水密封止部を形成するようになされている。本明細書では、これらの用語は区別なく使用されているので、基部プレート２０４は、枠部または枠部要素としても知られている。
【０１１１】
[0199]図６３は、尿排出ハッチ組立体１０８が回転されており、その結果、ここではその裏側が見られていることを除き、図６２と非常に類似している。開口／アパーチャ２１８は、図６２で先に説明されたものである。この場合、尿排出ハッチ１１０、２０２の反対側を見て取ることができる。裏当てプレート２０８が示されており、これは一実施形態ではいくらか可撓性でもよく、別の実施形態では剛性でもよい。裏当てプレート２０８は、ウェーダまたはズボン材料１００を裏当てプレートと枠部２０４の間に挟むために使用される。戻って参照すると、図５４は、任意選択である胸壁部２２６および胸壁部２２７の使用により、ウェーダ材料１００がどのように裏当てプレート２０８と枠部要素２０４の間に挟まれ得るかを示す。接着剤１５８は、枠部要素と裏当てプレートの間に挟まれるウェーダ材料１００の片側に付けられても両側に付けられてもよい。
【０１１２】
[0200]図６４は、封止区域の例示的な一実施形態の横断面図である。これは、裏当てプレート２０８と枠部要素２０４の間に挟まれるウェーダ材料１００を示す。ウェーダ材料１００が枠部要素２０４と裏当てプレート２０８の間に挟まれるとき、接着剤１５８（図示せず）が、ウェーダ材料１００の片側または両側に付けられることになるのが理解されよう。尿排出ハッチ（「蓋部」としても知られている）１１０、２０２は、強力なＯリング材料１２４、２１４を保持するように構成され、これは、一実施形態では、シリコーンＯリング、または特別に形作られた封止材料であることになる。この場合、「Ｏリング」という言葉が使用されているが、「Ｏ」という文字はこの文脈では意味をもたず、これは、Ｏリングが丸くても（Ｏ）、図６４で開示される特別な形状などの、任意の他の形状でもよいことを意味するものであることが理解されよう。図６４で示されるように蓋部１１０、２０２が閉位置にあるとき、可撓性封止Ｏリング要素１２４、２１４は、裏当てプレート２０８の上端部２０９に対して圧縮される。枠部要素２０４は、枠部要素２０４もまたＬ字型であり、可撓性封止対合面１２４、２１４の下で、裏当てプレート２０８の上部２０９に対して嵌着する（換言すれば、嵌合するまたは装着される）ように構成される。初期の広範な試作品試験を通して、この特定の封止部構成はかなりうまく機能し得るが、いくつかの重大な弱点があることが見いだされた。重大な一弱点は、Ｏリング要素１２４、２１４を蓋部１１０、２０２の内側湾曲部２１１に取り付けるために、糊付け、またはシーラントを使用する必要があることであった。試験を通して、軸方向の不十分な封止力が位置２０９に加えられて、半径の大きいアーチ２１１に分散されていることが発見された。別の重大な弱点が、この試作品の試験中に発見された。この特定の設計は、ウェーダ材料１００の厚みの変化に対応しない。実際、第１の試作品は、ウェーダの継ぎ目で実際に漏れ出し、裏当てプレート２０８に隆起部が形成され、これが位置２０９での非均一な封止を引き起こした。言い換えれば、本発明のこれらの試作バージョンは、スイミングプールで試験されたとき、位置２０９において水を漏らす傾向があった。
【０１１３】
[0201]図６５は、尿排出ハッチ組立体試作品の改良型のバージョンでの取組みを示す。まず第１に、構造は、可撓性Ｏリング材料１２４、２１４に対して封止部を形成するために、もう裏当てプレート２０８に依存していないことが理解され得る。これは、ウェーダの厚み１００の変化が、問題にならないことを意味する。いくつかの安価なウェーダは、単に１枚のゴムシートで作られていることが理解されよう。他のより高価なウェーダは、Ｇｏｒｔｅｘ、ＰＴＦＥまたは多層の布で作られている場合がある。Ｓｉｍｍｓ（登録商標）のオンラインウェブサイトを参照すると、そのよりハイエンドなウェーダは３つの層を有し、その最もハイエンドなガイドウェーダは５つの層を有する（それによってウェーダを大幅に厚くしている）ことが理解されよう。当技術分野においては、ネオプレンウェーダは、従来の釣り用ウェーダよりもさらに厚いことも理解されよう。理解され得るように、図６５を確認すると、ウェーダ材料１００がより厚い場合、ウェーダ材料１００は、裏当てプレートを単に下に動かすが、蓋部組立体１１０、２０２と一体になった部分である反転像封止区域２１１と枠部プレート２０４の上部２１３との間の封止区域に対しては影響を及ぼさないことになる。試験を通して、枠部２０４の封止区域２１３が鏡像封止区域２１１を締め付ける、このピンチタイプの機能を有することにより、全体的な封止能力が改善されることが見いだされた。これは、封止区域で信頼性の高い圧縮量を生み出し、その結果、封止区域が水密なままであることが保証される。突起部または歯状区域２１１の別の利点は、これが、Ｏリング封止部１２４、２１４を、脱落しないように捕捉するということである。言い換えれば、蓋部２０２の内側表面と封止部１２４、２１４自体との間に、Ｏリング封止部１２４、２１４を定位置にうまく保持する多くの摩擦面が存在する。しかし、試作品評価中、図６５の設計には、開放側のアパーチャ２１８の縮小という、非常に重大な弱点があることが見いだされた。戻って図６２を参照すると、ペニスに手を届かせる、または先に示されたようにＧｏＧｉｒｌ（商標）装置（図５３参照）を配置するために非常に重要な、開いた区域２１８を見て取ることができる。
【０１１４】
[0202]戻って図６４を参照すると、蓋部組立体１１０、２０２と、それが枠部要素２０４の上部と接触する所との間に、かなり大きい間隙２１５が存在していたことが理解され得る。試験では、これが重大なマイナス材料であることが判明した。漁師が滑って岩に当たる、またはカニ漁師がカニ籠にぶつかるなどしてできる、蓋部の側部のいかなる孔も、蝶番が破損し得る、または蓋部自体が割れ得るように、蓋部を変形させる傾向があることになる。したがって、試験を通して、図６５で示されているように、小さい間隙２１５’が非常に望ましいことが発見された。この小さい間隙２１５’は、蓋部１１０、２０２の周辺部全体に存在することになる。この蓋部が横からの打撃を受けるとき、湾曲部２０３は、小さい間隙２１５’を通って曲がり、枠部２０４の拡大された部分を素早く打ち、それによって損傷または破損を防止する。言い換えれば、湾曲部２０３は、蓋部１１０、２０２を壊すことなしに、または戻ろうとする応力（ｕｎｄｏ  ｓｔｒｅｓｓ）を蝶番組立体に生じさせることなしに、蓋部１１０、２０２を形成するために使用されるプラスチックまたは他の材料の弾性限界の範囲内に留まる。間隙２１５’は、０．５１センチメートル（１０００分の２００インチ（０．２０インチ））以下であるべきである。別の実施形態では、間隙は、０．２５センチメートル（１０００分の１００インチ（０．１０インチ））以下、別の実施形態では、０．１３センチメートル（１０００分の５０インチ（０．０５０インチ））以下であるべきである。
【０１１５】
[0203]相当な開発および試験の末に、図６６の設計が、複数の非常に重要な利点を提供する。裏当てプレート２０８が、図６５で先に説明されたものと非常に類似した構成をもつことが理解され得る。図６５と図６６の両方において、裏当てプレート２０８は、Ｏリング構造１２４、２１４に対するピンチ封止部の一部ではない。図６６において断面で示されている枠部要素２０４に関して非常に独特なことは、２１９で上に向けられるとき、枠部要素２０８の上部２２１の上方で嵌着する（換言すれば、嵌合するまたは装着される）ようになされていることである。この新規な構造は、図６５で先に示され、図６６でも示されている、歯状タイプの特徴部２１３と２１１の間の非常に重要なピンチ機能を維持する。しかし、枠部要素２０４を２１９で湾曲させ、裏当てプレート２０８の上にくるようにすることにより、図６２で先に示されたように、最大のアパーチャ２１８が維持されている。言い換えれば、枠部要素２１３の上部は、下にある裏当てプレート２０８の面２２３を越えて延在しないことになる。この独自の設計は、交換条件を含み、それはつまり、曲率半径（ｒａｄｉｕｓ  ｃｕｒｖｅ）２０３の方が、図６４および図６５で先に示された曲率半径２１１よりも小さい半径になる場合があるということである。しかし、この設計上の交換条件は許容可能であることが見いだされており、着用者の快適性は維持されている。
【０１１６】
[0204]再び図６６を参照すると、この設計は、ウェーダまたは釣り用ズボン材料１００の厚みの変化に対応するということが理解されよう。ウェーダ材料１００について言及されるとき、それはすべてのタイプのウェーダ、悪天候用ギア、雨天用ズボンなどを含んでいることが、本明細書において理解されよう。たとえば、発明者がケチカン（Ketchikan）に行くとき、多種多様な悪天候用ギアには、雨天用ズボン、サスペンダを有する雨天用ズボン、ベルト付きまたはベルトなしのズボン、釣り用ウェーダ、および他の悪天候用ギアが含まれる。したがって、本教示は、適用範囲を、本明細書に示される特有のバリエーションのみに限定することを意図していないので、本発明は、その適用範囲が、幅広い悪天候用ギアに限定されることはない。
【０１１７】
[0205]図６７は、図６６の構造体の分解図である。どのように部品が組み合わされて水密封止部を形成するかが、ここでより容易に理解される。枠部アパーチャ２１８ｆは、裏当てアパーチャ２１８ｂと同じサイズであることが理解され得る。これは、アパーチャ２１８全体が最大化されていて、使用者が、アパーチャを通して種々の衣服および身体の一部をより簡単に手で扱うことができるようにしており、それによって排尿がしやすくなることを意味する。裏当て２０８の第１の面２２６と枠部２０４の裏側面２２５が、それらの間に防水性材料１００を捕捉することが理解され得る。少なくとも１つの接着結合剤１５８（この場合は２つ）が、枠部の裏側面２２５と防水性材料１００との間、かつ／または裏当て２０８の第１の面２２６と防水性材料１００との間に付けられる。理解され得るように、裏当てアパーチャ２１８ｂと枠部アパーチャ２１８ｆは、概ね揃えられる(換言すれば、整列する)。さらに、裏当てアパーチャは、枠部アパーチャと同じ大きさであるか、またはいくつかの実施形態では枠部アパーチャより大きいので、裏当てアパーチャ２１８ｂの面積は、枠部アパーチャ２１８ｆと比べて等しい、またはそれより大きい。言い換えれば、裏当てアパーチャのアパーチャサイズは、少なくとも枠部アパーチャと同じ大きさであることができる。裏当ては、裏当てアパーチャの内周部２２３に沿って隆起縁部２２１も有し、隆起縁部は、枠部アパーチャ２１８ｆの第２の内周部２３１に沿って枠部２０４の第２の隆起縁部２１９に形成される周縁アンダーカット（換言すれば、下部窪み）２２９の中に配置される。アンダーカット２２９は、裏当ての隆起縁部２２１が中で入れ子になるのを可能にし、それによってアパーチャ２１８を最大化する。蓋部２０２は、蓋部が閉位置にあるとき枠部に向かって延在する第３の隆起縁部２１１を有し、蓋部が閉位置にあるとき、蓋部の第３の隆起縁部２１１は、枠部の第２の隆起縁部２２１に揃えられ（換言すれば、整列し）、封止部２１４の少なくとも一部を、それらの間で互いに捕捉することも理解されよう。
【０１１８】
[0206]図６８は、図６６の構造体から取られた拡大断面図である。図６８に示されるように、枠部（すなわち基部）２０４の内側面２２５および裏当てプレートの内側面２２６は、粗化されて（換言すれば、粗面または荒面にされて）、ウェーダ材料１００と面２２５、面２２６との間の強力な機械的結合を促進することに役立つ。図６７に示されるように、枠部２０４と裏当てプレート２０８の間にウェーダ材料１００が挟まれる前に、ウェーダ材料１００の片側または両側に接着剤１５８が付けられてもよいことが思い出されねばならない。当業者には理解されるように、接着剤は、ウェーダ材料１００を枠部２０４および裏当てプレート２０８に堅固に取り付けるのに適した複数の糊、接着剤、エポキシまたは結合剤からできていてもよい。（Ａｑｕａ  Ｓｅａｌ（商標）が、一般的なウェーダまたは防水性の雨天用ズボン／胸当て材料と非常にうまく結合する接着剤の１つであることが見いだされた。）アラスカのインサイドパッセージ(Inside Passage)での発明者による試験中、非常に平滑な内側面２２５および内側面２２６は、接着剤がウェーダ材料、ならびに面２２５および面２２６を適切に捕らえるのを難しくすることが発見された。これにより、使用者が本発明を着用しているとき、野外で川釣りをしている間にチェストウェーダの漏洩障害が生じた。驚いたことに、川または潮流区域で深くウェーディングしているとき、接着封止部に対して著しい水圧がかかる。調査により、これらの漏れは、平滑なプラスチックの面２０４と面２０８の間で起こっており、接着剤とウェーダまたはズボン材料自体との間ではないことが判明した。試験されたウェーダは、多くの微小孔を有する透湿性Ｇｏｒｅｔｅｘ（商標）タイプの材料でできていた。ＡｑｕａＳｅａｌ（商標）などの接着剤が、このような透湿性の布の面１００と極めてうまく結合し、それに対して水密封止部を形成することが明らかになった。発明者は、粗面２２５および粗面２２６により、接着剤１５８が著しくよりよく結合することが可能になることを発見した。粗面は、部品（２０４、２０８）が作られた後に付けられてもよいが、粗面２２５および粗面２２６が枠部２０４および裏当てプレート２０８を作り出すことになる型に設計され得る場合、それが好ましい。このやり方では、粗面は型の一部であり、すべての部品２０４および２０８について、ばらつきなく作り出される。
【０１１９】
[0207]面２２５と面２６６（および／または図７２に示される１００）に対する適切な結合技法の使用、ならびに接着剤１５８の使用により、図２９〜図３４のリベット１６８はもう必要ないことが当業者に理解される。これは、リベット、留め具、ねじ、ボルト、クリップなどの使用がもう必要とされないので、枠部２０４および裏当てプレート２０８の全体的な平坦度が最適化され得ることを意味する。また、これは本発明の全体的な外見に役立ち、組立時間を最も短くし、異常または欠陥の可能性を下げる。
【０１２０】
[0208]図６９は、図６８と非常に類似した拡大断面図であるが、ここで、面２２５は、枠部２０４の周縁部に沿って走る一連の三角形の形状の切抜き２２７として形成される。三角形の形状の切抜き２２７は、ウェーダ材料１００に食い込むことを助け、それによって引張りに対する機械的強度を増す。別の実施形態では、面２２６は、枠部２０４の周縁部に沿って走る一連のチャネル２２８として示される。やはり、接着剤１５８が、これらの切抜２２７および／またはチャネル２２８に流れ込むことになり、障害が起きる前に、全体的な引張りに対する強度を増す。ウェーダまたはズボン材料１００も、（製造中、または２次的なヤスリがけのタイプの作業において）粗化されてもよいことが理解される。当業者には理解されるように、これらの特定の説明が、すべての考えられる実施形態を完全に含んでいることは意図されていないので、面２２５、２２６に付けられ、かつ／または形成され得る、多数の形状、面の輪郭、粗化部およびテクスチャ加工部が存在する。
【０１２１】
[0209]図７０は、図６８および図６９と同様の拡大断面図であり、先に説明された粗面２２５、粗面２２７を備える単一の枠部２０４のみを有する、別の実施形態をここで示す。この実施形態では、ウェーダ材料１００と枠部２０４の間の結合が、適切な接着剤１５８と切抜き２２７の組合せにより非常に強力であるため、裏当てプレート２０８がもはや必要ではないので、裏当てプレート２０８はなくされている。野外試験により、ウェーダまたはズボン材料１００が透湿性の布である、または結合区域においてウェーダまたはズボン材料１００も粗化されているときは特に、裏当てプレート２０８はなくされてもよいということが実証されている。枠部２０４は、ここで示されているようにウェーダ１００の内側に配置されても、またウェーダの外側に配置されてもよく、ウェーダと枠部の間の結合および封止が強力で、防水性である限り、設計上のいずれの構成も許容可能であろうことが、当業者には理解されよう。
【０１２２】
[0210]アラスカのインサイドパッセージの自然の川での発明者による試験により、ウェーダの着用者が、川の急な土手をハイキングし、ぬかるんだ沼地の中をウェーディングし、深い藪およびヤナギの茂みなどの中に踏み込まなければならない状況があることが判明した。これらの状況において、発明者は、釣り竿を壊し、釣り用ネットおよび機器をなくすなどした。ポイントは、ウェーダ／ズボンの脚部は、接着結合剤２２５、２２７が形成される鼠径部区域において、非常に著しい引張りおよび衝撃応力を受ける場合があるということである。発明者は、ケチカンのバー・ハーバー・マリーナなどのアラスカのインサイドパッセージの港で、船上で多くの昼夜を過ごしもした。これらの港では、発明者は、多くのタイプのアラスカの商業用の漁船（カニ漁船、トレーラ、網漁船、など）のうちの１つのすぐ隣にしばしばつながれた。したがって、発明者は、これらの船の乗組員および船長と話をする機会が多かった。発見されたことは、商業用の船の上での生活は、発明者が個人的に経験した、先に説明された川でのハイキングの経験よりも、いっそう荒々しいということである。したがって、ほとんどすべての状況において、粗化された２０８、２２６、２２８の裏当てプレートは、堅固なタイプの追加的な強度を本発明に加え、またそれが好ましい。
【０１２３】
[0211]図７１は、粗面が三角形の形状の切抜き２２７および／またはチャネル２２８の形をとることができる、裏当てプレート２０８の前面２２６の斜視図である。図７１に示されるように、これらの特徴部は、面２２６の周りで曲がるとき、アパーチャ２１８の形状に従うことができることが理解される。特徴部２２７および２２８は、枠部２０４の面２２５に一様に施され得ることが、当業者には理解される。
【０１２４】
[0212]図７２は、新しい実施形態の分解図をここで示す、図６８〜７０と同様の断面図であり、ウェーダ１００はゴムや種々のエラストマなどの非透湿性材料から作られているが、ここでは、ウェーダ材料１００自体に一体化されたチャネル２３４を有する。チャネル２３４は、接着剤１５８がウェーダ材料１００を捕らえ、それに適切に付着できるように助ける。当業者には理解されるであろうように、同じチャネル２２７およびチャネル２２８が、枠部２０４および裏当てプレート２０８に付けられてもよい。
【０１２５】
[0213]接着剤１５８の代わりに、枠部１０４または裏当てプレート１０８のいずれかとウェーダ材料１００との間に継ぎ目溶着が用いられてもよいことが、当業者には理解されよう。さらに、本明細書で教示される構造と整合性があって、ウェーダ材料と本発明の構造体との間に水密連結を形成する、接着剤、継ぎ目溶着、圧縮嵌合、ガスケットなどを含めた、当業者に知られている他のアタッチメント手段が使用されてもよい。
【０１２６】
[0214]図７３は、図６２および図６３のアパーチャ２１８を幾何学的に示したものである。発明者は、アパーチャ２１８の最良の形状を決定するよう試みて試行錯誤することに多くの時間を費やした。数例を挙げると着用者の快適性、製造の簡単さ、およびアパーチャを通した使いやすさを含めた、多くの課題が考慮に入れられた。前の円形の形状および台形の形状はすべて、ある区域、または別の区域において、著しい弱点を有する。発明者は、ここで、最良の形状は、単に大きい方の円２３３（大きい方の円弧）が、少なくとも部分的に小さい方の円２３７（小さい方の円弧）と重なる２３５形状であると考えている。広範な試験により、小さい方の円の上部にこの大きい方の円があることにより、手が届きやすくなり、ペニス（またはＧｏＧｉｒｌ（商標））を位置決めしやすくなることが示されている。次いで隅肉部２３９は、大きい方の円弧を小さい方の円弧に滑らかに連結することができる。この形状は図７３において容易に見て取れるが、図６２および図６３でも見ることができる。ここで、アパーチャ２１８は、人間の身体と容易になじみ、アパーチャを通したアクセスを容易にもする。
【０１２７】
[0215]本明細書で示される特定の円形の形状は、楕円、または非常に丸くなった隅部を有する種々の正方形もしくは三角形の形状などの、円でない形状でもよく、上部に大きい方のアパーチャを有し、同様に形作られた小さい方のアパーチャを下部に備える、発明的なアパーチャ２１８の精神をなお含むものであることも、当業者には理解されよう。言い換えれば、枠部アパーチャは、輪郭が大きい方のアパーチャが、同様に形作られた輪郭が小さい方のアパーチャと少なくとも部分的に重なる形状として作られてもよく、輪郭が大きい方のアパーチャは、枠部アパーチャの上部に設けられ、輪郭が小さい方のアパーチャは、枠部アパーチャの下部に設けられる。図７３に示される輪郭が示されたアパーチャ２１８は、偶然円形であるが、本教示は円弧のみに限定されないので、上記の議論のように、多くの他の輪郭をとることができる。
【０１２８】
[0216]実例を示す目的で、いくつかの実施形態が詳細に説明されてきたが、本発明の範囲および精神から逸脱しない限り、それぞれに種々の修正が加えられてもよい。したがって、本発明は、添付の特許請求の範囲によって限定される場合を除き、限定されることはない。
【図１】
2018534447.tif 000003
【図２】
2018534447.tif 000004
【図３】
2018534447.tif 000005
【図４】
2018534447.tif 000006
【図５】
2018534447.tif 000007
【図６】
2018534447.tif 000008
【図７】
2018534447.tif 000009
【図７Ａ】
2018534447.tif 000010
【図７Ｂ】
2018534447.tif 000011
【図７Ｃ】
2018534447.tif 000012
【図７Ｄ】
2018534447.tif 000013
【図７Ｅ】
2018534447.tif 000014
【図８】
2018534447.tif 000015
【図９】
2018534447.tif 000016
【図１０】
2018534447.tif 000017
【図１１】
2018534447.tif 000018
【図１２】
2018534447.tif 000019
【図１３】
2018534447.tif 000020
【図１４】
2018534447.tif 000021
【図１５】
2018534447.tif 000022
【図１６】
2018534447.tif 000023
【図１７】
2018534447.tif 000024
【図１８】
2018534447.tif 000025
【図１９】
2018534447.tif 000026
【図２０】
2018534447.tif 000027
【図２１】
2018534447.tif 000028
【図２２】
2018534447.tif 000029
【図２３】
2018534447.tif 000030
【図２４】
2018534447.tif 000031
【図２５】
2018534447.tif 000032
【図２６】
2018534447.tif 000033
【図２７】
2018534447.tif 000034
【図２８】
2018534447.tif 000035
【図２９】
2018534447.tif 000036
【図３０】
2018534447.tif 000037
【図３１】
2018534447.tif 000038
【図３２】
2018534447.tif 000039
【図３３】
2018534447.tif 000040
【図３４】
2018534447.tif 000041
【図３５】
2018534447.tif 000042
【図３６】
2018534447.tif 000043
【図３７】
2018534447.tif 000044
【図３８】
2018534447.tif 000045
【図３９】
2018534447.tif 000046
【図４０】
2018534447.tif 000047
【図４１】
2018534447.tif 000048
【図４２】
2018534447.tif 000049
【図４３】
2018534447.tif 000050
【図４４】
2018534447.tif 000051
【図４５】
2018534447.tif 000052
【図４６】
2018534447.tif 000053
【図４７】
2018534447.tif 000054
【図４８】
2018534447.tif 000055
【図４９】
2018534447.tif 000056
【図５０】
2018534447.tif 000057
【図５１】
2018534447.tif 000058
【図５２】
2018534447.tif 000059
【図５３】
2018534447.tif 000060
【図５４】
2018534447.tif 000061
【図５５】
2018534447.tif 000062
【図５６】
2018534447.tif 000063
【図５７】
2018534447.tif 000064
【図５８】
2018534447.tif 000065
【図５９】
2018534447.tif 000066
【図６０】
2018534447.tif 000067
【図６１】
2018534447.tif 000068
【図６２】
2018534447.tif 000069
【図６３】
2018534447.tif 000070
【図６４】
2018534447.tif 000071
【図６５】
2018534447.tif 000072
【図６６】
2018534447.tif 000073
【図６７】
2018534447.tif 000074
【図６８】
2018534447.tif 000075
【図６９】
2018534447.tif 000076
【図７０】
2018534447.tif 000077
【図７１】
2018534447.tif 000078
【図７２】
2018534447.tif 000079
【図７３】
2018534447.tif 000080
【国際調査報告】
2018534447.tif 000081
2018534447.tif 000082
2018534447.tif 000083
2018534447.tif 000084